(57)【要約】【課題】簡単な操作で、複数の変更を画像に対して指示が出せるようにする。【解決手段】選択画面には、変更対象となる撮影画像が表示される対象画像表示部８０１が設けられ、その下側に配置されている前ボタン８０２または次ボタン８０３が操作されることで、対象画像表示部８０１内の撮影画像が他の撮影画像に切り替えられる。対象画像表示部８０１の右側には、設定部８０４が表示されている。この設定部８０４の形状は、六角形とされ、その六角形内に利用者はタッチすることで、そのタッチした座標に応じた目のサイズ、明るさ、小顔、髪の色、化粧の濃淡、肌の色を対象画像表示部８０１内の画像を変更することができるように構成されている。本技術は、例えば、写真シール作成装置に適用することができる。【選択図】図４２
2014068354.tif 000002
【特許請求の範囲】
【請求項１】
利用者を撮影する撮影部と、
前記撮影部による撮影の結果、得られる複数の撮影画像を表示する第１の領域と、異なる変更の画像処理のうちの少なくとも１つの画像処理を施す指示を出すための複数のボタンを表示する第２の領域、および１つのボタンに複数の変更が関連付けられている複数のボタンを表示する第３の領域を含む画面を前記利用者に提示する提示部と、
前記第２の領域内または前記第３の領域内のいずれかのボタンが操作される毎に、指示された変更に係わる画像処理を前記複数の撮影画像の前記指示された変更に対応する部分に一括して施す変更処理部と、
前記変更処理部により変更が施された撮影画像に、前記第１の領域内の撮影画像を切り換える表示を制御する表示制御部と、
前記変更処理部により変更が施された前記撮影画像を、所定のシール紙に印刷し、印刷された前記シール紙の出力、または他の装置にデータとして出力のうちのどちらか一方の出力を少なくとも行う出力部と
を備え、
前記第２の領域は、前記撮影画像内の前記被写体の目のサイズの変更、明るさの変更、髪の色の変更、顔の大きさの変更、化粧の濃淡の変更、および肌の色の変更のうちの、少なくとも２つの変更を、前記撮影画像に施す指示を出すための領域である
写真シール機。
【請求項２】
前記第３の領域に表示されるボタンに関連付けられている複数の変更は、前記第２の領域に表示されているボタンに関連付けられている異なる複数の変更である
請求項１に記載の写真シール機。
【請求項３】
前記第３の領域には、異なる複数の変更が施された画像が前記ボタンとして表示される
請求項１または２に記載の写真シール機。
【請求項４】
前記画像は、前記第１の領域に表示されている前記複数の撮影画像のうちの一枚の撮影画像に対して、異なる複数の変更が施された画像である
請求項３に記載の写真シール機。
【請求項５】
前記第２の領域は、前記撮影画像内の前記被写体の一部に対して変更を施すためのボタンを表示するための領域である
請求項１乃至４のいずれかに記載の写真シール機。
【請求項６】
前記変更の決定を指示する決定ボタンをさらに備える
請求項１乃至５のいずれかに記載の写真シール機。
【請求項７】
前記撮影部による撮影作業により得られた前記撮影画像に対して編集情報を入力する編集作業を行わせる編集部をさらに備え、
前記第１の領域に表示される前記複数の撮影画像は、前記編集部による編集作業の対象とされる画像である
請求項１乃至６のいずれかに記載の写真シール機。
【請求項８】
利用者を撮影する撮影部を備える写真シール機の処理方法において、
前記撮影部による撮影の結果、得られる複数の撮影画像を表示する第１の領域と、異なる変更の画像処理のうちの少なくとも１つの画像処理を施す指示を出すための複数のボタンを表示する第２の領域、および１つのボタンに複数の変更が関連付けられている複数のボタンを表示する第３の領域を含む画面を前記利用者に提示し、
前記第２の領域内または前記第３の領域内のいずれかのボタンが操作される毎に、指示された変更に係わる画像処理を前記複数の撮影画像の前記指示された変更に対応する部分に一括して施し、
変更が施された撮影画像に、前記第１の領域内の撮影画像を切り換える表示を制御し、
変更が施された前記撮影画像を、所定のシール紙に印刷し、印刷された前記シール紙の出力、または他の装置にデータとして出力のうちのどちらか一方の出力を少なくとも行う
ステップを含み、
前記第２の領域は、前記撮影画像内の前記被写体の目のサイズの変更、明るさの変更、髪の色の変更、顔の大きさの変更、化粧の濃淡の変更、および肌の色の変更のうちの、少なくとも２つの変更を、前記撮影画像に施す指示を出すための領域である
写真シール機の処理方法。
【請求項９】
利用者を撮影する撮影部を備える写真シール機を制御するコンピュータに、
前記撮影部による撮影の結果、得られる複数の撮影画像を表示する第１の領域と、異なる変更の画像処理のうちの少なくとも１つの画像処理を施す指示を出すための複数のボタンを表示する第２の領域、および１つのボタンに複数の変更が関連付けられている複数のボタンを表示する第３の領域を含む画面を前記利用者に提示し、
前記第２の領域内または前記第３の領域内のいずれかのボタンが操作される毎に、指示された変更に係わる画像処理を前記複数の撮影画像の前記指示された変更に対応する部分に一括して施し、
変更が施された撮影画像に、前記第１の領域内の撮影画像を切り換える表示を制御し、
変更が施された前記撮影画像を、所定のシール紙に印刷し、印刷された前記シール紙の出力、または他の装置にデータとして出力のうちのどちらか一方の出力を少なくとも行う
ステップを含み、
前記第２の領域は、前記撮影画像内の前記被写体の目のサイズの変更、明るさの変更、髪の色の変更、顔の大きさの変更、化粧の濃淡の変更、および肌の色の変更のうちの、少なくとも２つの変更を、前記撮影画像に施す指示を出すための領域である
処理を実行させるためのコンピュータ読み取り可能なプログラム。
【発明の詳細な説明】
【技術分野】
【０００１】
本技術は、写真シール機、写真シール機の処理方法、並びにプログラムに関する。詳しくは、利用者にとってより満足度の高い画像を提供することができるようにするとともに、その画像に対する編集の指示をより簡便に行えるようにすることができる写真シール機、写真シール機の処理方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００３】
利用者にとってより満足度の高い画像を提供することができるようにするために、コースによって目の大きさなどの画像処理を実施するか否かが決定されるようにすることが提案されている（例えば、特許文献１参照）
【０００４】
また、１枚の撮影した画像を基準画像として、色の２軸により複数の画像処理、例えば色味処理が施された画像を並べて表示し、利用者が選択できるように構成された写真シール機が提案されている（例えば、特許文献２参照）。
【０００５】
さらには、被写体に合成用画像を合成した動画像を表示し、撮影画像として切り出したい部分の移動やズームなどを処理できる写真シール機も提案されている（例えば、特許文献３参照）。
【先行技術文献】
【特許文献】
【０００６】
【特許文献１】特開２０１２−３７７３５号公報
【特許文献２】特開２００４−８０５４９号公報
【特許文献３】特開２００４−６４４５４号公報
【発明の概要】
【発明が解決しようとする課題】
【０００７】
特許文献１で提案されている写真シール機では、撮影前のコース選択により処理内容が決定される。利用者が撮影後に撮影済の画像を見たとき、利用者が希望する画像でない場合もある。撮影済の画像が、希望する画像でなかった場合であっても、撮影前に決定されたコースによる処理が施され、利用者側は撮影済の画像に対して修正を施すことができない。
【０００８】
特許文献２で提案されている写真シール機では、色味処理だけであるが、１枚ずつの画像に対して複数の画像処理が実施された画像を表示するため、処理が重くなってしまう。さらには、１枚ずつ利用者に選択させ確定させるため、見比べて選択することはよいが、１枚ずつ選択確定処理をしないといけないため利用者によっては面倒な処理と感じられる場合があった。
【０００９】
特許文献３で提案されている写真シール機では、撮影前に切り出し画像を処理して、画角などを決定しないといけないため、利用者によっては面倒な処理と感じられる場合があった。また、切り出し処理で撮影するため、撮影後の色味などの修正までできるようには構成されていなかった。
【００１０】
本技術は、このような状況に鑑みてなされたものであり、利用者にとってより満足度の高い画像を提供することができるようにするとともに、その画像に対する編集の指示をより簡便に行えるようにすることができるようにするものである。
【課題を解決するための手段】
【００１１】
本技術の一側面の写真シール機は、利用者を撮影する撮影部と、前記撮影部による撮影の結果、得られる複数の撮影画像を表示する第１の領域と、異なる変更の画像処理のうちの少なくとも１つの画像処理を施す指示を出すための複数のボタンを表示する第２の領域、および１つのボタンに複数の変更が関連付けられている複数のボタンを表示する第３の領域を含む画面を前記利用者に提示する提示部と、前記第２の領域内または前記第３の領域内のいずれかのボタンが操作される毎に、指示された変更に係わる画像処理を前記複数の撮影画像の前記指示された変更に対応する部分に一括して施す変更処理部と、前記変更処理部により変更が施された撮影画像に、前記第１の領域内の撮影画像を切り換える表示を制御する表示制御部と、前記変更処理部により変更が施された前記撮影画像を、所定のシール紙に印刷し、印刷された前記シール紙の出力、または他の装置にデータとして出力のうちのどちらか一方の出力を少なくとも行う出力部とを備え、前記第２の領域は、前記撮影画像内の前記被写体の目のサイズの変更、明るさの変更、髪の色の変更、顔の大きさの変更、化粧の濃淡の変更、および肌の色の変更のうちの、少なくとも２つの変更を、前記撮影画像に施す指示を出すための領域である。
【００１２】
前記第３の領域に表示されるボタンに関連付けられている複数の変更は、前記第２の領域に表示されているボタンに関連付けられている異なる複数の変更であるようにすることができる。
【００１３】
前記第３の領域には、異なる複数の変更が施された画像が前記ボタンとして表示されるようにすることができる。
【００１４】
前記画像は、前記第１の領域に表示されている前記複数の撮影画像のうちの一枚の撮影画像に対して、異なる複数の変更が施された画像であるようにすることができる。
【００１５】
前記第２の領域は、前記撮影画像内の前記被写体の一部に対して変更を施すためのボタンを表示するための領域であるようにすることができる。
【００１６】
前記変更の決定を指示する決定ボタンをさらに備える。
【００１７】
前記撮影部による撮影作業により得られた前記撮影画像に対して編集情報を入力する編集作業を行わせる編集部をさらに備え、前記第１の領域に表示される前記複数の撮影画像は、前記編集部による編集作業の対象とされる画像であるようにすることができる。
【００１８】
本技術の一側面の写真シール機の処理方法は、利用者を撮影する撮影部を備える写真シール機の処理方法において、前記撮影部による撮影の結果、得られる複数の撮影画像を表示する第１の領域と、異なる変更の画像処理のうちの少なくとも１つの画像処理を施す指示を出すための複数のボタンを表示する第２の領域、および１つのボタンに複数の変更が関連付けられている複数のボタンを表示する第３の領域を含む画面を前記利用者に提示し、前記第２の領域内または前記第３の領域内のいずれかのボタンが操作される毎に、指示された変更に係わる画像処理を前記複数の撮影画像の前記指示された変更に対応する部分に一括して施し、変更が施された撮影画像に、前記第１の領域内の撮影画像を切り換える表示を制御し、変更が施された前記撮影画像を、所定のシール紙に印刷し、印刷された前記シール紙の出力、または他の装置にデータとして出力のうちのどちらか一方の出力を少なくとも行うステップを含み、前記第２の領域は、前記撮影画像内の前記被写体の目のサイズの変更、明るさの変更、髪の色の変更、顔の大きさの変更、化粧の濃淡の変更、および肌の色の変更のうちの、少なくとも２つの変更を、前記撮影画像に施す指示を出すための領域である。
【００１９】
本技術の一側面のプログラムは、利用者を撮影する撮影部を備える写真シール機を制御するコンピュータに、前記撮影部による撮影の結果、得られる複数の撮影画像を表示する第１の領域と、異なる変更の画像処理のうちの少なくとも１つの画像処理を施す指示を出すための複数のボタンを表示する第２の領域、および１つのボタンに複数の変更が関連付けられている複数のボタンを表示する第３の領域を含む画面を前記利用者に提示し、前記第２の領域内または前記第３の領域内のいずれかのボタンが操作される毎に、指示された変更に係わる画像処理を前記複数の撮影画像の前記指示された変更に対応する部分に一括して施し、変更が施された撮影画像に、前記第１の領域内の撮影画像を切り換える表示を制御し、変更が施された前記撮影画像を、所定のシール紙に印刷し、印刷された前記シール紙の出力、または他の装置にデータとして出力のうちのどちらか一方の出力を少なくとも行うステップを含み、前記第２の領域は、前記撮影画像内の前記被写体の目のサイズの変更、明るさの変更、髪の色の変更、顔の大きさの変更、化粧の濃淡の変更、および肌の色の変更のうちの、少なくとも２つの変更を、前記撮影画像に施す指示を出すための領域である処理を実行させる。
【００２０】
本技術の一側面の写真シール機、写真シール機の処理方法、およびプログラムにおいては、利用者が撮影され、複数の撮影画像が第１の領域に表示され、異なる変更の画像処理のうちの少なくとも１つの画像処理を施す指示を出すための複数のボタンが第２の領域に表示され、１つのボタンに複数の変更が関連付けられている複数のボタンが第３の領域に表示される。また、第２の領域内または第３の領域内のいずれかのボタンが操作される毎に、指示された変更に係わる画像処理が、複数の撮影画像の指示された変更に対応する部分に一括して施され、変更が施された撮影画像に、第１の領域内の撮影画像が切り換えられる。また第２の領域は、撮影画像内の被写体の目のサイズの変更、明るさの変更、髪の色の変更、顔の大きさの変更、化粧の濃淡の変更、および肌の色の変更のうちの、少なくとも２つの変更を、撮影画像に施す指示を出すための領域である。
【発明の効果】
【００２１】
本技術の一側面によれば、利用者にとってより満足度の高い画像を提供することができるようにするとともに、その画像に対する編集の指示をより簡便に行えるようになる。また、利用者によっては、多くの画像処理を行うことを面倒に感じることがあるが、本技術によれば、撮影画像に多くの画像処理を施す指示を簡便に出すことができ、画像処理が施された撮影画像を確認しながら行えるようになるため、利用者が面倒に感じることなく、画像処理を行え、利用者の満足度を増すことが可能となる。
【図面の簡単な説明】
【００２２】
【図１】写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】撮影・表示ユニットの詳細な構成例を示す図である。
【図６】カメラの詳細な構成例を示す図である。
【図７】カメラ支持部の構成例を示す図である。
【図８】背景部の構成例を示す図である。
【図９】背景部の床の外観の構成例を示す図である。
【図１０】床の傾斜により得られる効果について説明する図である。
【図１１】背景部のクロマキー用シートについて説明する図である。
【図１２】編集部の構成例を示す図である。
【図１３】事後接客部の構成例を示す図である。
【図１４】写真シール作成装置の内部の構成例を示すブロック図である。
【図１５】制御部の詳細な構成例を示す機能ブロック図である。
【図１６】撮影処理部の詳細な構成例を示す機能ブロック図である。
【図１７】写真シール作成ゲームを提供する処理について説明するフローチャートである。
【図１８】撮影処理について説明するフローチャートである。
【図１９】撮影処理について説明するフローチャートである。
【図２０】下カメラアップ撮影時のライブビュー表示画面の例を示す図である。
【図２１】上カメラアップ撮影時のライブビュー表示画面の例を示す図である。
【図２２】上カメラ全身撮影のガイダンス画面の例を示す図である。
【図２３】上カメラ全身撮影時のライブビュー表示画面の例を示す図である。
【図２４】上カメラ全身撮影処理について説明するフローチャートである。
【図２５】ライブビュー画像の例を示す図である。
【図２６】色範囲の検出について説明する図である。
【図２７】コーナー画像の例を示す図である。
【図２８】上カメラ全身画像の例を示す図である。
【図２９】変更処理１について説明するフローチャートである。
【図３０】選択画面の一例を示す図である。
【図３１】変更処理２について説明するフローチャートである。
【図３２】選択画面の一例を示す図である。
【図３３】選択画面の一例を示す図である。
【図３４】変更処理３について説明するフローチャートである。
【図３５】選択画面の一例を示す図である。
【図３６】変更処理４について説明するフローチャートである。
【図３７】選択画面の一例を示す図である。
【図３８】変更処理５について説明するフローチャートである。
【図３９】変更処理５について説明するフローチャートである。
【図４０】選択画面の一例を示す図である。
【図４１】変更処理６について説明するフローチャートである。
【図４２】選択画面の一例を示す図である。
【発明を実施するための形態】
【００２３】
以下に、本技術の実施の形態について図面を参照して説明する。
【００２４】
［写真シール作成装置の外観構成］
図１は、本発明の一実施形態に係る写真シール作成装置１の外観の構成例を示す斜視図である。
【００２５】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２６】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２７】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００２８】
撮影ユニット１１は、撮影部２１と背景部２２から構成される。撮影部２１と背景部２２は所定の距離だけ離れて設置され、撮影部２１と背景部２２の間に形成される空間である撮影空間において撮影作業が行われる。
【００２９】
撮影部２１は撮影作業を利用者に行わせる装置である。撮影部２１は、撮影空間に入り、撮影作業を行っている利用者の正面に位置する。撮影空間を正面に望む面を構成する撮影部２１の正面パネル４１には、撮影作業時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂ（図示せず）により構成される。
【００３０】
背景部２２は、正面を向いて撮影作業を行っている利用者の背面側に位置する板状の部材である背面パネル５１、背面パネル５１の左端に取り付けられ、側面パネル４２Ａとほぼ同じ幅の板状の部材である側面パネル５２Ａ、および、背面パネル５１の右端に取り付けられ、側面パネル４２Ｂとほぼ同じ幅の板状の部材である側面パネル５２Ｂ（図２）から構成される。
【００３１】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３２】
撮影部２１の側面パネル４２Ａ、連結部２３Ａ、および背景部２２の側面パネル５２Ａに囲まれることによって形成される開口が撮影空間の出入り口Ｇ１となる。なお、図示はしないが、撮影部２１の側面パネル４２Ｂ、連結部２３Ｂ、および背景部２２の側面パネル５２Ｂに囲まれることによって形成される開口も撮影空間の出入り口Ｇ２となる。
【００３３】
撮影空間の上方には、撮影部２１の正面パネル４１、連結部２３Ａ、連結部２３Ｂ、および背景部２２の背面パネル５１に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３４】
なお、撮影空間にいる利用者の正面−背面方向を奥行き方向とすると、撮影ユニット１１の寸法（奥行き、幅、および高さ）は、例えば、1850mm×1800mm×2225mmとされる。
【００３５】
編集部１２は、撮影作業によって得られた画像を編集する編集作業を利用者に行わせる装置である。編集部１２は、一方の側面が撮影部２１の正面パネル４１の背面に接するように撮影ユニット１１に連結して設けられる。編集部１２には、編集作業時に利用者により用いられるタブレット内蔵モニタなどの構成が設けられる。
【００３６】
図１に示す編集部１２の構成を正面側の構成とすると、２組の利用者が同時に編集作業を行うことができるように、編集部１２の正面側と背面側には編集作業に用いられる構成がそれぞれ設けられる。
【００３７】
編集部１２の正面側は、床面に対して垂直な面であり、側面パネル４２Ａとほぼ平行な面である面７１と、面７１の上方に形成された斜面７２から構成され、編集作業に用いられる構成が斜面７２に設けられる。斜面７２の左側には、柱状の形状を有し、照明装置７４の一端を支持する支持部７３Ａが設けられる。斜面７２の右側にも、照明装置７４の他端を支持する支持部７３Ｂ（図２）が設けられる。さらに、支持部７３Ａの左側には、板状の形状を有し、事後接客部１３が連結して設けられる支持部７３Ｃが設けられる。また、支持部７３Ｃの上面にはカーテンレール２６を支持する支持部７５が設けられる。
【００３８】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００３９】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集作業を行う編集空間となる。
【００４０】
図２は、写真シール作成装置１を別の角度から見た斜視図である。
【００４１】
事後接客部１３は利用者に対して事後接客を行う装置である。事後接客では、撮影画像や編集済みの画像が携帯電話機などの携帯端末に送信される。
【００４２】
図２に示すように、事後接客部１３は、所定の厚さを有する板状の筐体を有しており、その背面が編集部１２の左側面に接するように編集部１２に連結して設けられる。事後接客部１３の正面には、事後接客時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者に対して事後接客を行う事後接客空間となる。
【００４３】
ここで、写真シール作成ゲームの流れと、それに伴う利用者の移動について図３を参照して説明する。図３は、写真シール作成装置１を上から見た平面図である。
【００４４】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影作業を行う。
【００４５】
撮影作業を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４６】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集作業を開始する。編集空間Ａ２−１の利用者と、編集空間Ａ２−２の利用者は同時に編集作業を行うことができる。
【００４７】
編集作業が終了した後、撮影画像や編集済みの画像の中から選択された画像の印刷が開始される。画像の印刷中、編集作業を終えた利用者は、編集空間Ａ２−１で編集作業を行っていた場合には白抜き矢印＃５で示すように編集空間Ａ２−１から事後接客空間Ａ３に移動して事後接客を受ける。また、編集作業を終えた利用者は、編集空間Ａ２−２で編集作業を行っていた場合には白抜き矢印＃６で示すように編集空間Ａ２−２から事後接客空間Ａ３に移動し、事後接客空間Ａ３において事後接客を受ける。
【００４８】
画像の印刷が終了したとき、利用者は、事後接客部１３に設けられた排出口からシール紙を受け取り、一連の写真シール作成ゲームを終えることになる。
【００４９】
次に、各装置の構成について説明する。
【００５０】
［撮影部の構成］
図４は、撮影部２１の構成例を示す図である。撮影部２１は、正面パネル４１、側面パネル４２Ａ、および側面パネル４２Ｂが、箱状の形状を有するベース部４３に取り付けられることによって構成される。
【００５１】
正面パネル４１は撮影空間Ａ１で撮影作業を行う利用者の正面に位置し、側面パネル４２Ａと側面パネル４２Ｂは、それぞれ、撮影空間Ａ１で撮影作業を行う利用者の左側、右側に位置する。側面パネル４２Ａの上方には連結部２３Ａが固定され、側面パネル４２Ｂの上方には連結部２３Ｂが固定される。
【００５２】
正面パネル４１のほぼ中央には撮影・表示ユニット８１が設けられる。撮影・表示ユニット８１は、カメラ９１、カメラストロボ９２、およびタッチパネルモニタ９３から構成される。
【００５３】
カメラ９１は、CCD(Charge Coupled Device)などの撮像素子を有する撮像装置を含むように構成され、撮影空間Ａ１にいる利用者を撮影する。カメラ９１により取り込まれた動画像（ライブビュー画像）は、タッチパネルモニタ９３にリアルタイムで表示される。利用者により撮影が指示されたときなどの所定のタイミングでカメラ９１により取り込まれた画像は撮影画像（静止画像）として保存される。なお、カメラ９１により取り込まれた画像、すなわち、ライブビュー画像および撮影画像を併せて、以下、取り込み画像ともいう。
【００５４】
カメラ９１の背面側には、カメラストロボ９２が設けられ、カメラ９１は、カメラストロボ９２の表面側で上下方向に駆動（移動）するようになされている。カメラストロボ９２は、発光面を構成するアクリル板と、その背後に設けられる蛍光灯等の照明装置とから構成され、他のストロボと同様にカメラ９１による撮影に合わせて発光する。カメラストロボ９２においては、カメラ９１の上下方向の位置に応じて露出する部分が発光面となる。すなわち、カメラストロボ９２は、カメラ９１の上下方向の位置に応じて、被写体としての利用者の顔付近をカメラ９１の上方または下方から照射する。
【００５５】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００５６】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５７】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００５８】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影作業の内容に応じて適宜調整される。
【００５９】
また、足元ストロボ８６の右側には、利用者がお金を投入する硬貨投入返却口８７が設けられる。
【００６０】
さらに、下ストロボ８５の上側であって、タッチパネルモニタ９３の左側には、利用者を左下前方から照射するモニタ左ストロボ８８が設けられ、タッチパネルモニタ９３の右側には、利用者を右下前方から照射するモニタ右ストロボ８９が設けられる。
【００６１】
なお、各ストロボ内部には、蛍光灯以外の照明装置が設けられてもよい。
【００６２】
下ストロボ８５を挟んでベース部４３の上面の左右に形成されるスペース４３Ａおよび４３Ｂは、撮影作業を行う利用者が手荷物等を置くための荷物置き場として用いられる。また、正面パネル４１の例えば天井付近には、利用者に撮影作業を行わせる撮影処理の案内音声、BGM(Back Ground Music)、効果音等の音を出力するスピーカも設けられる。
【００６３】
ここで、カメラ９１の上下方向の駆動について説明する。
【００６４】
撮影処理においては、カメラ９１の上下方向の位置が、被写体としての利用者を、利用者から見て前方正面から撮影する位置と、利用者から見て前方斜め上から撮影する位置とになるように、カメラ９１を上下方向に駆動させて撮影が行われる。
【００６５】
以下、適宜、利用者を前方正面から撮影する位置にあるカメラ９１を下カメラといい、利用者を前方斜め上から撮影する位置にあるカメラ９１を上カメラという。
【００６６】
［撮影・表示ユニットの構成例］
図５は、上下方向に駆動するカメラ９１を含む撮影・表示ユニット８１の詳細な構成例を示している。
【００６７】
図５Ａに示されるように、撮影・表示ユニット８１は、縦長の直方体の形状を有する筐体の一側面に、カメラ９１、カメラストロボ９２、およびタッチパネルモニタ９３が設けられることで構成される。カメラ９１およびカメラストロボ９２の周囲には、それらを囲うような額縁状のカバー９４が設けられており、カメラ９１は、カバー９４の開口部の範囲内で上下方向に駆動する。
【００６８】
図５Ｂは、図５Ａの状態から、タッチパネルモニタ９３およびカバー９４を取り外した撮影・表示ユニット８１を示している。図５Ｂに示されるように、カメラ９１は、カメラストロボ９２の発光面を構成するアクリル板９５と一体に構成されており、アクリル板９５は、カメラ９１とともに上下方向に駆動する。また、カメラ９１は、カメラ支持部９６によってその側面が支持されており、カメラ支持部９６に設けられたガイド溝に従って上下方向に駆動する。
【００６９】
図５Ｃは、図５Ｂの状態から、アクリル板９５を取り外した撮影・表示ユニット８１を示している。図５Ｃに示されるように、カメラ９１の背面上方には、カメラ上蛍光灯９７Ｕが設けられ、カメラ９１の背面下方には、カメラ下蛍光灯９７Ｄが設けられている。カメラ９１は、カメラストロボ９２を構成する照明装置としてのカメラ上蛍光灯９７Ｕおよびカメラ下蛍光灯９７Ｄと一体に構成されており、カメラ上蛍光灯９７Ｕおよびカメラ下蛍光灯９７Ｄは、カメラ９１とともに上下方向に駆動する。
【００７０】
すなわち、図５Ａに示されるように、カメラ９１がカバー９４の開口部の下端に位置し、下カメラの状態となるとき、カメラ９１の上側のアクリル板９５が露出し、カメラ上蛍光灯９７Ｕが発光することで、カメラストロボ９２は、被写体としての利用者の顔付近をカメラ９１の上方から照射する。
【００７１】
また、図示はしないが、カメラ９１がカバー９４の開口部の上端に位置し、上カメラの状態となるとき、カメラ９１の下側のアクリル板９５が露出し、カメラ下蛍光灯９７Ｄが発光することで、カメラストロボ９２は、被写体としての利用者の顔付近をカメラ９１の下方から照射する。
【００７２】
［カメラの構成例］
図６は、カメラ９１の詳細な構成例を示している。
【００７３】
カメラ９１は、撮像装置であるカメラ本体９１Ｍがケース９１Ｃに搭載されて構成される。カメラ９１には、所定の駆動機構により、カメラ本体９１Ｍのレンズの光軸に平行な軸を中心に回転する回転部９１Ｒが設けられている。また、カメラ本体９１Ｍの焦点距離を調整するズームリング９１Ｆの円周面に設けられたギアと、回転部９１Ｒの一端に設けられたギア（図示せず）とは、内側にリブが設けられたタイミングベルト９１Ｂにより連結されている。
【００７４】
すなわち、回転部９１Ｒが回転することにより、タイミングベルト９１Ｂを介してズームリング９１Ｆが回転し、カメラ本体９１Ｍの焦点距離が調整されるようになされている。これにより、例えば、カメラ９１が下カメラの状態において、ズームインするように焦点距離を調整し、カメラ９１が上カメラの状態において、ズームアウトするように焦点距離を調整することができる。
【００７５】
また、ケース９１Ｃの側面には、突起物P1，P2が設けられている。カメラ９１は、突起物P1，P2がそれぞれ、図７に示されるようなカメラ支持部９６に設けられたガイド溝g1，g2に沿ってガイドされることで上下方向に駆動する。ガイド溝g1，g2は、カメラ支持部９６を貫通するように形成されてもよいし、貫通しないように形成されてもよい。また、図７に示されるように、ガイド溝g2は、ガイド溝g1の上端に対応する位置より上では、ガイド溝g1の上端を中心に孤を描くように形成されている。これにより、突起物P1，P2がそれぞれ、ガイド溝g1の上端、および、ガイド溝g2のガイド溝g1の上端に対応する位置に達した後、カメラ９１は、ガイド溝g1の上端を中心に、図中左方向に所定角度だけ回転し、撮影空間の下方向を撮影するようになる。
【００７６】
このような構造により、カメラ９１が下カメラの状態のときには、利用者は前方正面から撮影され、カメラ９１が上カメラの状態のときには、利用者は前方斜め上から撮影されるようになる。
【００７７】
［背景部の構成］
図８は、背景部２２の撮影空間Ａ１側の構成例を示す図である。図８Ａは、背景部２２の構成例を示す正面図であり、図８Ｂは、背景部２２の構成例を示す斜視図である。
【００７８】
背面パネル５１の上方のほぼ中央には、撮影空間Ａ１内で撮影作業を行っている利用者を後方中央から照射する背面中央ストロボ１０１が取り付けられる。
【００７９】
背面パネル５１の上方であって、出入り口Ｇ１側の位置には、撮影空間Ａ１内で撮影作業を行っている利用者を左後方から照射する背面左ストロボ１０２が取り付けられる。また、背面パネル５１の上方であって、出入り口Ｇ２側の位置には、撮影空間Ａ１内で撮影作業を行っている利用者を右後方から照射する背面右ストロボ１０３が取り付けられる。
【００８０】
また、背面パネル５１の下側で、撮影空間Ａ１において側面パネル５２Ａおよび側面パネル５２Ｂに挟まれる部分には、床１０４が設けられている。床１０４は、図９に示されるように、背面パネル５１側に近いほど高くなるように、写真シール作成装置１が設置される設置面に対して、例えば７°等の傾斜が設けられている。
【００８１】
なお、撮影空間にいる利用者の正面−背面方向を奥行き方向とすると、床１０４の寸法（奥行き、幅、および背面パネル５１側の高さ）は、例えば、550mm×1710mm×80mmとされる。
【００８２】
［床の傾斜により得られる効果］
ここで、図１０を参照して、床１０４に傾斜を設けることによって得られる効果について説明する。
【００８３】
図１０には、撮影空間Ａ１において、上カメラの状態のカメラ９１によって撮影される被写体（利用者）１１１が示されている。被写体の全身を撮影しようとする場合、上カメラによる撮影によれば、下カメラによる撮影と比較して、顔が大きく写るので、顔が強調された撮影画像を得ることができる。また、下カメラにより得られる全身画像より、上カメラにより得られる全身画像の方が、画像における被写体の割合を高めることができる。このように、上カメラによる撮影は、被写体の全身画像を得るのに好適とされている。
【００８４】
例えば、一般的な写真シール作成装置の撮影空間において、図１０Ａに示されるように、被写体１１１がカメラ９１に顔を近づけるように前傾姿勢をとった場合には、顔がより強調された撮影画像を得ることができる。
【００８５】
さらに、本発明の写真シール作成装置１のように傾斜を設けた床１０４を備えることで、図１０Ｂに示されるように、被写体１１１のかかと部分がヒールのある靴を履いているときと同じ状態となり、カメラ９１の撮像面に対する足の甲の長さが、図１０Ａの場合より長くなるので、より足が長く見える撮影画像を得ることができる。
【００８６】
特に、ヒールのある靴を履いた場合の地面と足の裏のなす角度が７°のときに最も足が長く見えるものとすると、床１０４の傾斜を７°とすることで、例えば学校指定のヒールの低い靴を履いている女子中高生であっても、ヒールのある靴を履いたときと同様に、より足が長く見える撮影画像を得ることができる。
【００８７】
また、図１０Ａに示されるように、被写体１１１が前傾姿勢をとってカメラ９１を見た場合、顎の下から首にかけての部分１１１ｎがストロボによって照射されてしまうので、撮影画像においては、顔の輪郭がわかりにくく、必要以上に顔が大きく見えてしまう恐れがある。
【００８８】
一方、図１０Ｂのように床１０４を備えることで、被写体１１１は、図１０Ａのように前傾姿勢にならず、顎を出さない姿勢で撮影することができるので、顎の下から首にかけての部分１１１ｎに影ができ、撮影画像においては、顔の輪郭が強調されて、必要以上に顔が大きく見えることを避けることができる。
【００８９】
さらに、図１０Ａにおいて、被写体１１１が前傾姿勢をとらずにカメラ９１を見た場合、撮影画像においては、上目遣いをした顔となってしまう。一方、図１０Ｂのように床１０４を備えることで、被写体１１１の視線が高くなるので、被写体１１１は、カメラ９１を自然に見ることができ、撮影画像においては、上目遣いをした顔となることを避けることができる。
【００９０】
［クロマキー用シートについて］
また、本実施の形態においては、背景部２２の撮影空間Ａ１側に、背景に利用する巻き取り式の背景カーテンや、クロマキー用のカーテンとして使用する昇降式カーテンを設けず、背景部２２を構成する背面パネル５１、側面パネル５２Ａ，５２Ｂ、および床１０４の表面にクロマキー用のシートが貼付される。
【００９１】
図１１は、背景部２２の撮影空間Ａ１側に貼付されるクロマキー用シートについて説明する図である。
【００９２】
図１１に示されるように、背面パネル５１にはクロマキー用シート１２１Ａが貼付され、側面パネル５２Ｂの下部にはクロマキー用シート１２１Ｂが貼付され、床１０４の斜面部分にはクロマキー用シート１２１Ｃが貼付される。クロマキー用シート１２１Ａ乃至１２１Ｃは、緑色のクロマキー用シートであり、これにより、いわゆるグリーンバック合成が行われる。なお、図示はしないが、側面パネル５２Ａの下部にもクロマキー用シート１２１Ｂと同様のクロマキー用シート１２１Ｃ’が貼付される。なお、図１１に示されるように、クロマキー用シート１２１Ｂは、側面パネル５２Ｂの下部のみに貼付されるものとしたが、側面パネル５２Ｂにおいてクロマキー用シート１２１Ｂが貼付される部分は、カメラ９１の画角に入る部分より広ければよく、例えば側面パネル５２Ｂの全面であってもよい。また、側面パネル５２Ａに貼付されるクロマキー用シート１２１Ｃ’についても同様である。
【００９３】
クロマキー用シート１２１Ａ，１２１Ｂ，１２１Ｃはそれぞれ、同一の材質で構成されるようにしてもよいし、異なる材質で構成されるようにしてもよい。具体的には、例えば、撮影空間Ａ１の背面となるクロマキー用シート１２１Ａを布製とし、側面となるクロマキー用シート１２１Ｂを樹脂製または布製とし、クロマキー用シート１２１Ｃをゴム等の樹脂製としてもよい。
【００９４】
［編集部の構成］
図１２は、編集部１２の正面側（編集空間Ａ２−１側）の構成例を示す図である。
【００９５】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００９６】
タブレット内蔵モニタ１３１は、タッチペン１３２Ａまたは１３２Ｂを用いて操作入力が可能なタブレットがLCDなどの編集用モニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００９７】
編集部１２の左側には事後接客部１３が設けられる。
【００９８】
［事後接客部の構成］
図１３は、事後接客部１３の正面側の構成例を示す図である。
【００９９】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどの事後接客用モニタに重畳して設けられることによって構成される。タブレット内蔵モニタ１６１には、撮影画像や編集済みの画像を携帯電話機などの携帯端末に送信する事後接客処理に用いられる画面が表示される。
【０１００】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【０１０１】
非接触型ICリーダ／ライタ１６３は、近接された非接触型ICと通信を行い、非接触型ICからのデータの読み出しや非接触型ICに対するデータの書き込みを行う。
【０１０２】
シール紙排出口１６４には、編集空間Ａ２−１の利用者が編集作業を行うことによって作成した画像が印刷されたシール紙、または、編集空間Ａ２−２の利用者が編集作業を行うことによって作成した画像が印刷されたシール紙が排出される。編集部１２の内部にはプリンタが設けられており、画像の印刷がそのプリンタにより行われる。
【０１０３】
スピーカ１６５は、事後接客処理の案内音声、BGM、効果音等の音を出力する。
【０１０４】
［写真シール作成装置の内部構成］
次に、写真シール作成装置１の内部構成について説明する。図１４は、写真シール作成装置１の内部の構成例を示すブロック図である。上述した構成と同じ構成には同じ符号を付してある。なお、重複する説明については適宜省略する。
【０１０５】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【０１０６】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【０１０７】
通信部２０３はインターネットなどのネットワークのインタフェースであり、制御部２０１による制御に従って外部の装置と通信を行う。
【０１０８】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【０１０９】
ROM２０６には、制御部２０１において実行されるプログラムやデータが記憶されている。RAM２０７は、制御部２０１が処理するデータやプログラムを一時的に記憶する。
【０１１０】
撮影部２０８は、撮影空間Ａ１における撮影処理を行う構成である硬貨処理部２２１、照明装置２２２、カメラ９１、タッチパネルモニタ９３、およびスピーカ２２３から構成される。
【０１１１】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【０１１２】
照明装置２２２は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６、モニタ左ストロボ８８、モニタ右ストロボ８９と、背景部２２に設けられる背面中央ストロボ１０１、背面左ストロボ１０２，背面右ストロボ１０３が設けられている。
【０１１３】
また、照明装置２２２は、制御部２０１による制御に従って発光量を調整することによって、利用者が行っている撮影作業の段階に応じて撮影空間Ａ１内の明るさを調整する。
【０１１４】
カメラ９１は、制御部２０１による制御に従って撮影を行い、撮影によって得られた画像を制御部２０１に出力する。
【０１１５】
スピーカ２２３は、利用者に撮影作業を行わせる撮影処理の案内音声、BGM、効果音等の音を出力する。
【０１１６】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【０１１７】
タブレット内蔵モニタ１３１は、制御部２０１による制御に従って、内蔵する編集用モニタに編集画面を表示し、編集画面（内蔵するタブレット）に対する利用者の操作を検出する。利用者の操作の内容を表す信号は制御部２０１に供給され、編集対象の撮影画像の編集が行われる。
【０１１８】
スピーカ２３１は、利用者に編集作業を行わせる編集処理の案内音声、BGM、効果音等の音を出力する。
【０１１９】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、スピーカ１６５、印刷処理を行う構成であるプリンタ２４１、およびシール紙ユニット２４２から構成される。
【０１２０】
タブレット内蔵モニタ１６１は、制御部２０１による制御に従って、内蔵する事後接客用モニタに事後接客に用いられる画面を表示し、その画面（内蔵するタブレット）に対する利用者の操作を検出する。利用者の操作の内容を表す信号は制御部２０１に供給され、事後接客が行われる。
【０１２１】
プリンタ２４１は、撮影画像、または編集処理によって得られた編集済みの画像を、プリンタ２４１に装着されたシール紙ユニット２４２に収納されているシール紙に印刷し、シール紙排出口１６４に排出する。
【０１２２】
［制御部の構成］
次に、制御部２０１について説明する。図１５は、制御部２０１がROM２０６などに格納されているプログラムを実行することにより実現される機能ブロックの構成例を示している。
【０１２３】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【０１２４】
すなわち、制御部２０１は、写真シール作成ゲームの各工程に関する処理の制御を行う。
【０１２５】
［撮影処理部の構成］
図１６は、図１５の撮影処理部３０１のさらに詳細な構成例を示す機能ブロック図である。
【０１２６】
図１６の例において、撮影処理部３０１は、進行制御部３１１、撮影パラメータ設定部３１２、ライブビュー表示制御部３１３、撮影画像取得部３１４、照明制御部３１５、カメラ駆動制御部３１６、クロマキー処理部３１７、コーナーポイント検知部３１８、コーナー画像生成部３１９、および合成処理部３２０から構成される。
【０１２７】
進行制御部３１１は、撮影作業の工程の進行を制御する。
【０１２８】
撮影パラメータ設定部３１２は、写りや明るさ、目のサイズ等の撮影に関するパラメータの設定に関する処理を行う。
【０１２９】
ライブビュー表示制御部３１３は、タッチパネルモニタ９３の表示（ライブビュー表示）に関する処理を行う。
【０１３０】
撮影画像取得部３１４は、撮影、特に、撮影画像の取得に関する処理を行う。
【０１３１】
照明制御部３１５は、撮影空間内に設けられる照明装置の発光に関する処理を行う。
【０１３２】
カメラ駆動制御部３１６は、カメラ９１の駆動に関する処理を行う。
【０１３３】
クロマキー処理部３１７は、カメラ９１により取り込まれた取り込み画像の背景領域の色に基づいて、背景領域を抜き出すクロマキー処理を行う。
【０１３４】
コーナーポイント検知部３１８は、カメラ９１により取り込まれた取り込み画像の背景領域としての、撮影空間の背面、側面、および床面の３面が交わる交点であるコーナーポイントを検知する。
【０１３５】
コーナー画像生成部３１９は、撮影空間の背面、側面、および床面のうちの２面が交わる交線を模した線分であるコーナーラインを含む背景画像（以下、コーナー画像という）を生成する。
【０１３６】
合成処理部３２０は、クロマキー処理部３１７により背景領域が抜き出された取り込み画像に、コーナー画像生成部３１９により生成されたコーナー画像を合成する。
【０１３７】
［写真シール作成装置の動作］
次に、図１７のフローチャートを参照して、写真シール作成ゲームを提供する写真シール作成装置１の処理について説明する。
【０１３８】
ステップＳ１において、写真シール作成装置１の制御部２０１の撮影処理部３０１は、所定の金額分の硬貨が投入されたか否かを硬貨処理部２２１から供給される信号に基づいて判定し、投入されたと判定するまで待機する。
【０１３９】
硬貨が投入されたとステップＳ１において判定した場合、ステップＳ２において、撮影処理部３０１は、撮影部２０８を制御し、カメラ９１に取り込まれた被写体の動画像をタッチパネルモニタ９３にライブビュー表示させ、撮影空間Ａ１にいる利用者を被写体として撮影する撮影処理を行う。なお、撮影処理については、図１８、図１９のフローチャートを参照して後述する。
【０１４０】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２３から出力させることによって行われる。
【０１４１】
ステップＳ４において、編集処理部３０２は、編集空間Ａ２−１と編集空間Ａ２−２のうち、撮影処理を終えた利用者の移動先とした方の編集空間に対応する編集部２０９を制御し、編集処理を行う。具体的には、編集処理部３０２は、編集対象画像として選択された撮影画像に合成する合成用画像を利用者に選択させ、選択された合成用画像を撮影画像に合成させ、得られた合成画像に対して、利用者による編集操作に従って編集を行う。
【０１４２】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１４３】
ステップＳ６において、印刷処理部３０３は、利用者により選択された画像をプリンタ２４１に出力してシール紙に印刷させる印刷処理を行う。
【０１４４】
ステップＳ７において、事後接客処理部３０４は、事後接客部２１０を制御し、印刷終了待機中の利用者に対する事後接客処理を行う。具体的には、事後接客処理部３０４は、撮影画像や編集済みの画像を携帯端末に送信する携帯送信ゲーム処理を事後接客処理として行い、携帯端末の電子メールアドレスを直接入力することで画像を携帯端末に送信するか、非接触型ICと通信することで画像を携帯端末に送信するかを利用者に選択させる送信方法の選択画面や、送信する画像の選択画面をタブレット内蔵モニタ１６１に表示させ、利用者による操作に応じて画像を送信する。
【０１４５】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６４に排出し、処理を終了させる。
【０１４６】
［撮影処理の例］
次に、図１８、図１９のフローチャートを参照して、上述した写真シール作成ゲームの一連の処理におけるステップＳ２の撮影処理の流れの例を説明する。
【０１４７】
ステップＳ３１において、撮影パラメータ設定部３１２は、写り選択画面をタッチパネルモニタ９３に表示させ、利用者による写り選択を受け付ける。写り選択は、色合いやシャープネス等の、画像の画質の選択である。撮影パラメータ設定部３１２は、利用者により選択された写りに応じて、カメラ９１により撮影された画像の画質を調整する。
【０１４８】
ステップＳ３２において、進行制御部３１１は、撮影方法のガイダンス画面をタッチパネルモニタ９３に表示させる。具体的には、利用者の顔または上半身を前方正面から撮影する下カメラアップ撮影を行う旨のガイダンス画面を表示する。すなわち、このとき、カメラ９１は、下カメラの状態とされる。ガイダンス画面を表示した後、撮影画像取得部３１４は、カメラ９１を制御し、画像の取り込みを開始させる。
【０１４９】
ステップＳ３３において、ライブビュー表示制御部３１３は、カメラ９１により取り込まれた動画像（ライブビュー画像）をタッチパネルモニタ９３に表示させる（ライブビュー表示を行う）。
【０１５０】
ステップＳ３４において、撮影画像取得部３１４は、タッチパネルモニタ９３にカウントダウンインジケータを表示し、撮影タイミングを利用者に通知する。
【０１５１】
撮影タイミングになったとき、ステップＳ３５において、撮影画像取得部３１４は、カメラ９１を制御して下カメラアップ撮影を行い、静止画像である撮影画像（下カメラアップ画像）を取得する。
【０１５２】
ステップＳ３６において、進行制御部３１１は、撮影画像をタッチパネルモニタ９３に表示し、撮影結果を利用者に確認させる。
【０１５３】
図２０は、下カメラアップ撮影時にタッチパネルモニタ９３に表示されるライブビュー表示画面の例を示している。図２０のライブビュー表示画面は、カメラ９１のライブビュー画像を表示するライブビュー表示領域４１１、および、撮影の結果得られる撮影画像が表示される撮影結果表示領域４１２−１乃至４１２−６から構成されている。
【０１５４】
図２０のライブビュー表示画面において、図示せぬカウントダウンインジケータで示される数字が０になったときに、ライブビュー表示領域４１１に表示されているライブビュー画像が下カメラアップ画像として得られる。得られた下カメラアップ画像は、撮影した順に、撮影結果表示領域４１２−１乃至４１２−６のうちの所定の領域（具体的には、撮影結果表示領域４１２−１乃至４１２−３）に表示されるようになる。
【０１５５】
図１８のフローチャートに戻り、ステップＳ３６の後、ステップＳ３７において、進行制御部３１１は、撮影を所定回数繰り返し行ったか否かを判定する。ステップＳ３７において撮影を所定回数行っていないと判定された場合、処理はステップＳ３３に戻り、上述の処理を繰り返し行う。具体的には、３回の下カメラアップ撮影が行われるまで、上述の処理が繰り返される。
【０１５６】
一方、ステップＳ３７において、下カメラアップ撮影を３回繰り返し行ったと判定された場合、処理はステップＳ３８に進み、カメラ駆動制御部３１６は、カメラ９１を上方向に移動させるように、カメラ９１の駆動を制御する。これにより、カメラ９１は、上カメラの状態とされる。
【０１５７】
ステップＳ３９において、進行制御部３１１は、撮影方法のガイダンス画面をタッチパネルモニタ９３に表示させる。具体的には、利用者の顔または上半身を前方斜め上から撮影する上カメラアップ撮影を行う旨のガイダンス画面を表示する。ガイダンス画面を表示した後、撮影画像取得部３１４は、カメラ９１を制御し、画像の取り込みを開始させる。
【０１５８】
なお、上述したように、カメラ９１は、上カメラの状態では、ズームアウトするようにフォーカスが調整されるが、ここでは、デジタルズーム機能により、取り込み画像の倍率を電気的に変更することで、上カメラアップ撮影を行う。また、カメラ９１のフォーカスは、図６を参照して説明した機構により調整される以外に、撮影方法に応じてカメラ駆動制御部３１６により調整されるようにしてもよい。
【０１５９】
ステップＳ４０において、ライブビュー表示制御部３１３は、カメラ９１により取り込まれた動画像（ライブビュー画像）をタッチパネルモニタ９３に表示させる（ライブビュー表示を行う）。
【０１６０】
ステップＳ４１において、撮影画像取得部３１４は、タッチパネルモニタ９３にカウントダウンインジケータを表示し、撮影タイミングを利用者に通知する。
【０１６１】
撮影タイミングになったとき、ステップＳ４２において、撮影画像取得部３１４は、カメラ９１を制御して上カメラアップ撮影を行い、静止画像である撮影画像（上カメラアップ画像）を取得する。
【０１６２】
ステップＳ４３において、進行制御部３１１は、撮影画像をタッチパネルモニタ９３に表示し、撮影結果を利用者に確認させる。
【０１６３】
図２１は、上カメラアップ撮影時にタッチパネルモニタ９３に表示されるライブビュー表示画面の例を示している。図２１のライブビュー表示画面において、図示せぬカウントダウンインジケータで示される数字が０になったときに、ライブビュー表示領域４１１に表示されているライブビュー画像が上カメラアップ画像として得られる。なお、上カメラアップ撮影は１回のみ行われる。撮影結果表示領域４１２−１乃至４１２−３には、下カメラアップ画像が表示されているので、得られた上カメラアップ画像は、撮影結果表示領域４１２−４に表示されるようになる。
【０１６４】
図１８のフローチャートに戻り、ステップＳ４３の後、図１９のステップＳ４４において、進行制御部３１１は、撮影方法のガイダンス画面をタッチパネルモニタ９３に表示させる。具体的には、利用者の全身を前方斜め上から撮影する上カメラ全身撮影を行う旨のガイダンス画面を表示する。ガイダンス画面を表示した後、撮影画像取得部３１４は、カメラ９１を制御し、画像の取り込みを開始させる。
【０１６５】
図２２は、タッチパネルモニタ９３に表示される上カメラ全身撮影のガイダンス画面の例を示している。図２２のガイダンス画面には、全身撮影を行う旨の文言と、利用者をタッチパネルモニタ９３に表示される足型の印である足マークに合わせて立たせるよう促す文言が表示される。すなわち、タッチパネルモニタ９３（図２３）には、ライブビュー画像とともに、上カメラ全身撮影を行うのに最適な立ち位置を示す足マークが表示され、利用者がその足マークに合わせて立つことで、好適な上カメラ全身画像が得られるようになされている。
【０１６６】
そして、ステップＳ４５において、カメラ９１により取り込まれた動画像（ライブビュー画像）を表示させ、所定の撮影タイミングで上カメラ全身撮影を行う上カメラ全身撮影処理が実行される。なお、上カメラ全身撮影処理については、図２４のフローチャートを参照して後述する。
【０１６７】
図２３は、上カメラ全身撮影時にタッチパネルモニタ９３に表示されるライブビュー表示画面の例を示している。図２３のライブビュー表示画面において、図示せぬカウントダウンインジケータで示される数字が０になったときに、ライブビュー表示領域４１１に表示されているライブビュー画像が上カメラ全身画像として得られる。撮影結果表示領域４１２−１乃至４１２−３には、下カメラアップ画像が表示され、撮影結果表示領域４１２−４には、上カメラアップ画像が表示されているので、得られた上カメラ全身画像は、撮影結果表示領域４１２−５，４１２−６に表示されるようになる。
【０１６８】
なお、図２３に示されるタッチパネルモニタ９３においては、ライブビュー表示領域４１１の領域外（ライブビュー表示領域４１１の下）に足マークが表示されているが、ライブビュー表示領域４１１に表示されるライブビュー画像内に足マークを表示するようにしてもよい。また、足マークを、タッチパネルモニタ９３に表示するのではなく、床１０４（クロマキー用シート１２１Ｃ）の表面に予め記すようにし、利用者にその足マークの上に立たせるようにしてもよい。
【０１６９】
図１９のフローチャートに戻り、ステップＳ４５の後、ステップＳ４６において、進行制御部３１１は、撮影を所定回数繰り返し行ったか否かを判定する。ステップＳ４６において撮影を所定回数行っていないと判定された場合、処理はステップＳ４５の処理を繰り返し行う。具体的には、２回の上カメラ全身撮影が行われるまで、上述の処理が繰り返される。
【０１７０】
一方、ステップＳ４６において、上カメラ全身撮影を２回繰り返し行ったと判定された場合、ステップＳ４７において、進行制御部３１１は、撮影可能時間内か否かを判定し、経過時間または残り時間に基づいて、また撮影可能か否かを判定する。ステップＳ４７において、撮影可能であると判定された場合、追加的な撮影、いわゆる「ボーナス撮影」の処理が行われる。
【０１７１】
ステップＳ４８において、進行制御部３１１は、ボーナス撮影のガイダンス画面をタッチパネルモニタ９３に表示させる。ガイダンス画面を表示した後、撮影画像取得部３１４は、カメラ９１を制御し、画像の取り込みを開始させる。
【０１７２】
ステップＳ４９において、ライブビュー表示制御部３１３は、カメラ９１により取り込まれた動画像（ライブビュー画像）をタッチパネルモニタ９３に表示させる（ライブビュー表示を行う）。
【０１７３】
ステップＳ５０において、撮影画像取得部３１４は、タッチパネルモニタ９３にカウントダウンインジケータを表示し、撮影タイミングを利用者に通知する。
【０１７４】
撮影タイミングになったとき、ステップＳ５１において、撮影画像取得部３１４は、カメラ９１を制御してボーナス撮影を行い、静止画像である撮影画像（ボーナス撮影画像）を取得する。
【０１７５】
なお、ボーナス撮影処理においては、カメラ９１は上カメラの状態とされるので、上カメラアップ撮影または上カメラ全身撮影のいずれかが行われるものとする。また、ボーナス撮影を行わずに、２回の上カメラ全身撮影により得られる２枚の上カメラ全身画像のうちの１枚をボーナス撮影画像として扱うようにしてもよい。
【０１７６】
すなわち、３回の下カメラアップ撮影、１回の上カメラアップ撮影、１回の上カメラ全身撮影に加えて、確率の高いボーナス撮影として上カメラ全身撮影が行われるようにしてもよい。さらに、編集処理においては、得られた撮影画像（ボーナス撮影画像を含む）から編集対象画像が選択されるようになるが、この場合、得られた撮影画像の全て（例えば６枚）が編集対象画像とされるようにしてもよい。
【０１７７】
ステップＳ５２において、進行制御部３１１は、撮影画像をタッチパネルモニタ９３に表示し、撮影結果を利用者に確認させる。その後、処理は図１９のステップＳ５３に進む。
【０１７８】
一方、ステップＳ４７において、撮影可能でないと判定された場合、ステップＳ４７乃至Ｓ５２はスキップされ、処理は図１９のステップＳ５３に進められる。
【０１７９】
図１９のステップＳ５３において、撮影パラメータ設定部３１２は、撮影画像に写る利用者の目のサイズや明るさなどの選択に用いられる選択画面を、タッチパネルモニタ９３に表示させ、目のサイズや明るさなどを変更する変更処理を実行する。このステップＳ５３において実行される変更処理については、図２９のフローチャートを参照して後述する。
【０１８０】
ステップＳ５３の処理が終了すると、撮影処理は終了され、処理は図１７のステップＳ２に戻る。なお、目サイズ選択処理および明るさ選択処理は、撮影処理においてではなく、編集空間において行われる編集処理において実行されるようにしてもよい。
【０１８１】
［上カメラ全身撮影処理］
次に、図２４のフローチャートを参照して、図１９のステップＳ４５の上カメラ全身撮影処理の詳細について説明する。
【０１８２】
ステップＳ１１１において、クロマキー処理部３１７は、カメラ９１により取り込まれた動画像（ライブビュー画像）の背景領域を抜き出す。
【０１８３】
図２５は、カメラ９１により取り込まれたライブビュー画像の例を示している。図２５のライブビュー画像４３１においては、２人の被写体とともに、撮影空間Ａ１を構成する背景部２２の背面パネル５１、側面パネル５２Ｂ、および床１０４の表面に貼付されているクロマキー用シート１２１Ａ，１２１Ｂ，１２１Ｃが表示されている。
【０１８４】
ここで、クロマキー用シート１２１Ａ，１２１Ｂ，１２１Ｃがそれぞれ異なる材質で構成されているものとすると、ライブビュー画像４３１におけるクロマキー用シート１２１Ａ，１２１Ｂ，１２１Ｃの色（見え方）もそれぞれ異なる。
【０１８５】
そこで、クロマキー処理部３１７は、ライブビュー画像４３１の背景領域としての撮影空間Ａ１の背面、側面、および床面（すなわち、クロマキー用シート１２１Ａ，１２１Ｂ，１２１Ｃ）の３面それぞれの色を示す値の範囲（色範囲）を検出することで、背面、側面、および床面それぞれについてのクロマキーパラメータを設定する。
【０１８６】
具体的には、図２６に示されるライブビュー画像４３１（被写体は省略）において、クロマキー用シート１２１Ａで最も明るい領域RmaxAの色値と、最も暗い領域RminAの色値とに基づいて色範囲が検出されることで、クロマキー用シート１２１Ａのクロマキーパラメータが設定される。同様に、クロマキー用シート１２１Ｂで最も明るい領域RmaxBの色値と、最も暗い領域RminBの色値とに基づいて色範囲が検出されることで、クロマキー用シート１２１Ｂのクロマキーパラメータが設定され、クロマキー用シート１２１Ｃで最も明るい領域RmaxCの色値と、最も暗い領域RminCの色値とに基づいて色範囲が検出されることで、クロマキー用シート１２１Ｃのクロマキーパラメータが設定される。
【０１８７】
そして、クロマキー処理部３１７は、３面それぞれについてのクロマキーパラメータを用いて、ライブビュー画像４３１から背景領域（背面、側面、および床面）を抜き出す。
【０１８８】
ステップＳ１１２において、コーナーポイント検知部３１８は、カメラ９１により取り込まれたライブビュー画像の背景領域の色を示す値（色値）の境界に基づいて、コーナーポイントを検知する。
【０１８９】
上述したように、図２５において、ライブビュー画像４３１におけるクロマキー用シート１２１Ａ，１２１Ｂ，１２１Ｃの色はそれぞれ異なるので、コーナーポイント検知部３１８は、クロマキー用シート１２１Ａ，１２１Ｂ，１２１Ｃの３面それぞれの色範囲を検出し、それぞれの色値の境界を求めることで、撮影空間Ａ１の背面、側面、および床面の３面が交わるコーナーポイントCPを検知する。
【０１９０】
ステップＳ１１３において、進行制御部３１１は、コーナーポイント検知部３１８がコーナーポイントを検知したか否かを判定する。ステップＳ１１３において、コーナーポイントを検知していないと判定された場合、処理はステップＳ１１２に戻り、コーナーポイントが検知されるまで処理が繰り返される。なお、コーナーポイントを検知していないと判定された場合、タッチパネルモニタ９３に、エラーメッセージを表示させるようにしてもよい。また、このとき、色値の境界を求めるのに用いられる色範囲が変更（再検出）されるようにしてもよい。
【０１９１】
一方、ステップＳ１１３において、コーナーポイントが検知されたと判定された場合、処理はステップＳ１１４に進み、コーナー画像生成部３１９は、図２７に示されるような、撮影空間の背面、側面、および床面のうちの２面が交わる交線に似せたコーナーライン４５２Ａ，４５２Ｂ，４５２Ｃが描かれているコーナー画像４５１を生成する。コーナー画像４５１において、撮影空間の背面、側面、および床面に対応する各面の色は、例えばグレーに近い白色とされる。コーナー画像４５１は、部屋の一角を模した背景画像とされる。
【０１９２】
ステップＳ１１５において、ライブビュー表示制御部３１３は、カメラ９１により取り込まれたライブビュー画像をタッチパネルモニタ９３に表示させる（ライブビュー表示を行う）。ここでは、図２５に示されるような、２人の被写体とともに、クロマキー用シート１２１Ａ，１２１Ｂ，１２１Ｃが表示されるライブビュー画像が表示される。
【０１９３】
ステップＳ１１６において、撮影画像取得部３１４は、タッチパネルモニタ９３にカウントダウンインジケータを表示し、撮影タイミングを利用者に通知する。
【０１９４】
ここで、ステップＳ１１１乃至Ｓ１１４の処理と、ステップＳ１１５，Ｓ１１６の処理とは、並列に実行されてもよい。
【０１９５】
撮影タイミングになったとき、ステップＳ１１７において、撮影画像取得部３１４は、カメラ９１を制御して撮影を行い、そのタイミングで取り込まれ、背景領域が抜き出された静止画像である撮影画像（上カメラ全身画像）を取得する。
【０１９６】
ステップＳ１１８において、合成処理部３２０は、上カメラ全身画像においてコーナーポイント検知部３１８により検知されたコーナーポイントCPと、コーナー画像生成部３１９により生成されたコーナー画像４５１のコーナーライン４５２Ａ乃至４５２Ｃの交点とが一致するように、背景領域が抜き出された上カメラ全身画像にコーナー画像４５１を合成する。
【０１９７】
ステップＳ１１９において、進行制御部３１１は、撮影画像をタッチパネルモニタ９３に表示し、撮影結果を利用者に確認させる。
【０１９８】
以上の処理によれば、図２８に示される、被写体の頭からつま先までが写った上カメラ全身画像４７１を得ることができる。図２８の上カメラ全身画像４７１は、被写体の前方斜め上から撮影された、顔を強調した全身画像であり、背面、側面、および床の境界がはっきりと示されるようになるので、ブログにアップロードされるコーデ画像として好適な画像となる。このようにして、利用者にとってより満足度の高いコーデ画像を提供することが可能となる。
【０１９９】
さらに、撮影空間Ａ１において、床１０４には傾斜が設けられているので、より足が長く見えるコーデ画像を得ることができる。さらに、そのコーデ画像においては、床１０４の傾斜により、必要以上に顔が大きく見えることを避けることができるとともに、上目遣いをした顔となることを避けることができるので、より見栄えのよいコーデ画像が得られることとなる。
【０２００】
なお、ステップＳ１１５において、ライブビュー画像として、背景領域（背面、側面、および床面）が抜き出されたライブビュー画像にコーナー画像を合成したものを表示するようにしてもよい。これにより、利用者は、実際に得られる上カメラ全身画像をイメージしながら撮影作業を行うことができる。
【０２０１】
また、背景領域が抜き出されたライブビュー画像にコーナー画像を合成する際、コーナーポイント検知部３１８により検知されたコーナーポイントではなく、予め設定されたコーナーポイントと、コーナー画像の線分の交点とが一致するように合成するようにしてもよい。これにより、背面、側面、および床面の３面がクロマキー処理により抜き出された撮影画像に対して、コーナー画像を容易に適正な位置に合成することができ、ブログにアップロードされるコーデ画像として好適な画像を得ることができる。
【０２０２】
さらに、コーナー画像において、コーナーラインは、実際の撮影空間の背面、側面、および床面のうちの２面が交わる交線に対応した位置や角度に対応して描かれる必要はなく、また、撮影空間の背面、側面、および床面に対応する各面の色は、上述した色（グレーに近い白色）に限られず、さらに、部屋の一角を模した装飾を施すようにしてもよい。
【０２０３】
また、複数の種類のコーナー画像を予め用意しておき、利用者に選択させるようにしてもよい。これにより、より利用者の嗜好に合ったコーデ画像を提供することができるようになる。
【０２０４】
［目のサイズや明るさの変更に関する変更処理について］
図２９のフローチャートを参照し、図１９のステップＳ５３において実行される目のサイズや明るさの変更に関する変更処理について説明する。図２９を参照して説明する変更処理は、ここでは変更処理１と記述する。
【０２０５】
まずステップＳ１５１において、撮影パラメータ設定部３１２は、撮影画像に写る利用者の目のサイズと明るさの選択に用いられる目サイズ、明るさ選択画面を、タッチパネルモニタ９３に表示させる。
【０２０６】
図３０は、利用者自身が写されている撮影画像を使用して、被写体の目のサイズと明るさを一画面で選択することができる目サイズ、明るさ選択画面の例を示す図である。
【０２０７】
図３０に示した目サイズ、明るさ選択画面には、撮影の結果得られた撮影画像５０１が表示される。例えば、撮影を６回行ったときには、６枚の撮影画像が得られており、目サイズ、明るさ選択画面では、６枚の撮影画像５０１−１乃至５０１−６が、画面の上側に表示される。撮影画像５０１−１乃至５０１−６は、撮影されたままの画像であるが、目のサイズなどの変更が指示された後は、その指示に基づく変更が施された画像とされる。
【０２０８】
目サイズ、明るさ選択画面の下側には、３つの目サイズ選択ボタン５０２−１乃至５０２−３が図中右側から順に表示される。目サイズ選択ボタン５０２−１には、目のサイズが自然な大きさのモデルの目の画像が表示され、目サイズ選択ボタン５０２−２には、目のサイズが若干大きな（例えば、自然な大きさよりも１割程度大きな）モデルの目の画像が表示されている。
【０２０９】
目サイズ選択ボタン５０２−３には、目のサイズが比較的大きな（例えば、自然な大きさよりも２割程度大きな）モデルの目の画像が表示されている。これらの目サイズを変更するための目サイズ選択ボタン５０２−１乃至５０２−３の下側には明るさを選択するための明るさ選択ボタン５０３−１乃至５０３−３が表示されている。
【０２１０】
図３０においては、５つの明るさ選択ボタン５０３−１乃至５０３−５が図中右側から順に表示される。明るさ選択ボタン５０３−１乃至５０３−５には、明るさの異なるモデルがそれぞれ表示されている。
【０２１１】
“ＯＫ”との表記がされた決定ボタン５０４は、目の大きさや明るさの変更を確定するときに操作されるボタンである。
【０２１２】
なおここでは、目の大きさや明るさの変更が行われるとして説明を続けるが、顔の大きさ、髪の毛の色、化粧の濃淡、肌の色なども変更できるようにしても良い。複数の変更が行えるように構成した場合については、後述する。
【０２１３】
なお、目の大きさ、明るさ、顔の大きさ、髪の毛の色、化粧の濃淡、肌の色などの画像処理は、それぞれ顔の部位が認識され、その部分に対する処理が施されることで実現される。例えば、目の大きさは、撮影された利用者の顔の領域から、目の領域を抽出し、その目の領域を拡大または縮小することで、目の大きさが変更される。
【０２１４】
また、顔の領域を抽出するようにした場合、その抽出した顔の領域を変更することで、顔の大きさを変更することができる。また、顔の領域から、さらに髪の領域を抽出し、その抽出した領域内の色を変更することで、髪の毛の色を変更することができる。
【０２１５】
さらに、同じように、頬、額、鼻、顎といった領域を抽出するし、それぞれの領域内の色を、適切な色に変更することで、肌の色を調整することができる。この際、同一の調整を行うよりも個別に異なる調整が行われるのがよい。例えば、利用者により肌の色は黒めと指示されたときに、抽出された全領域を同様に黒くするのではなく、それぞれの部位に応じた黒色に変更される方が、より良い。
【０２１６】
また、化粧の濃淡も、頬を抽出し、その領域に頬紅を濃くまたは薄く塗る、目を抽出しアイラインを濃く入れる、または薄く入れるなどすることで行われる。また、明るさは、画像全体の明るさを調整する場合、画像全体の色合いを変更することで行われる。
【０２１７】
このように、利用者が所望した画像処理は、撮影画像内の対応する部分毎に行われる。
【０２１８】
図２９のフローチャートの説明に戻り、ステップＳ１５１において、図３０に示したような撮影画像に写る利用者の目のサイズと明るさの選択に用いられる目サイズ、明るさ選択画面が、タッチパネルモニタ９３に表示されると、ステップＳ１５２に処理が進められる。
【０２１９】
ステップＳ１５２において、利用者が、目サイズ、明るさ選択画面の目サイズ選択ボタン５０２−１乃至５０２−３のいずれかに対する操作（タッチ）を行った否かが判定される。ステップＳ１５２において、目サイズ選択ボタン５０２−１乃至５０２−３のいずれかに対する操作（タッチ）が行われたと判定された場合、ステップＳ１５３に処理が進められる。
【０２２０】
ステップＳ１５３において、撮影パラメータ設定部３１２は、タッチパネルモニタ９３から供給された情報に基づいて、目のサイズを選択する。ステップＳ１５３において、撮影パラメータ設定部３１２は、利用者により選択されたサイズの目が写っている画像になるように、全ての撮影画像５０１−１乃至５０１−６に写る利用者の目のサイズを一括して変更する。
【０２２１】
ステップＳ１５４において、撮影パラメータ設定部３１２は、目のサイズを変更した撮影画像５０１−１乃至５０１−６をタッチパネルモニタ９３に表示し、目のサイズの変更結果を利用者に確認させる。
【０２２２】
このような目のサイズに関する処理が行われるか、またはステップＳ１５２において、目サイズ選択ボタン５０２−１乃至５０２−３のいずれも操作されていないと判定された場合、ステップＳ１５５に処理が進められる。
【０２２３】
ステップＳ１５５において、利用者が、目サイズ、明るさ選択画面の明るさ選択ボタン５０３−１乃至５０３−５のいずれかに対する操作（タッチ）を行ったか否かが判定される。ステップＳ１５５において、明るさ選択ボタン５０３−１乃至５０３−５のいずれかに対する操作（タッチ）が行われたと判定された場合、ステップＳ１５６に処理が進められる。
【０２２４】
ステップＳ１５６において、撮影パラメータ設定部３１２は、タッチパネルモニタ９３から供給された情報に基づいて、明るさを選択する。ステップＳ１５６において、撮影パラメータ設定部３１２は、利用者により選択された明るさの被写体になるように、全ての撮影画像５０１−１乃至５０１−６の被写体の明るさを一括して変更する。
【０２２５】
ステップＳ１５７において、撮影パラメータ設定部３１２は、被写体の明るさを変更した撮影画像５０１−１乃至５０１−６をタッチパネルモニタ９３に表示し、明るさの変更結果を利用者に確認させる。
【０２２６】
このような明るさに関する処理が行われるか、またはステップＳ１５５において、明るさ選択ボタン５０３−１乃至５０３−５のいずれも操作されていないと判定された場合、ステップＳ１５８に処理が進められる。
【０２２７】
ステップＳ１５８において、撮影パラメータ設定部３１２は、決定ボタン５０４が操作されたか否かをタッチパネルモニタ９３から供給された情報に基づいて判定し、操作されていないと判定した場合、ステップＳ１５２に戻り、上述の処理を繰り返す。
【０２２８】
一方、ステップＳ１５８において、決定ボタン５０４が操作されたと判定された場合、ステップＳ１５９において、撮影パラメータ設定部３１２は、被写体の目のサイズと明るさを決定し、決定した目のサイズと明るさを表す情報を記憶部２０２などに記憶させて保存する。
【０２２９】
ステップＳ１５９の処理が終了すると、撮影処理は終了され、処理は図１７のステップＳ２に戻る。なお、目サイズ選択処理および明るさ選択処理は、撮影処理においてではなく、編集空間において行われる編集処理において実行されるようにしてもよい。
【０２３０】
［目のサイズや明るさの変更に関する変更処理２について］
次に、目のサイズや明るさを決定するときの他の処理（ここでは、第２の変更処理と記述する）について説明する。図３１は、第２の変更処理について説明するためのフローチャートである。ステップＳ２０１において、撮影パラメータ設定部３１２は、撮影画像に写る利用者の目のサイズと明るさの選択に用いられる目サイズ、明るさ選択画面を、タッチパネルモニタ９３に表示させる。
【０２３１】
図３２は、利用者自身が写されている撮影画像を使用して、被写体の目のサイズと明るさを一画面で選択することができる選択画面の例を示す図である。また、図３２に示した選択画面は、それぞれの撮影画像に対して個別に目のサイズなどを設定できるように構成されている。
【０２３２】
図３２に示した選択画面は、図３０に示した選択画面と基本的な構成は同様である。すなわち、図３２に示した選択画面には、撮影の結果得られた撮影画像５５１が表示される。例えば、撮影を６回行ったときには、６枚の撮影画像が得られており、選択画面では、６枚の撮影画像５５１−１乃至５５１−６が、画面の上側に表示される。撮影画像５５１−１乃至５５１−６は、撮影されたままの画像であるが、目のサイズなどの変更が指示された後は、その指示に基づく変更が施された画像とされる。
【０２３３】
選択画面の下側には、３つの目サイズ選択ボタン５５２−１乃至５５２−３が図中右側から順に表示される。これらの目サイズを変更するための目サイズ選択ボタン５５２−１乃至５５２−３の下側には明るさを選択するための明るさ選択ボタン５５３−１乃至５５３−５が表示されている。５つの明るさ選択ボタン５５３−１乃至５５３−５は、図中右側から順に表示され、明るさの異なるモデルがそれぞれ表示されている。
【０２３４】
“ＯＫ”との表記がされた決定ボタン５５４は、目の大きさや明るさの変更を確定するときに操作されるボタンである。
【０２３５】
図３２に示した選択画面には、さらにアンカー５５５が表示されている。アンカー５５５は、変更対象とされている画像上に表示される。図３２に示した例では、撮影画像５５５−１上に、アンカー５５５が位置している。アンカー５５５が位置している撮影画像（図３２の例の場合、撮影画像５５１−１）が編集対象とされ、例えば、目サイズ選択ボタン５５２−３が操作されたときには、撮影画像５５１−１内の利用者の目が、大きな目に変更され、利用者に提示される。
【０２３６】
利用者は、アンカー５５５が位置している画像を見ることで、変更後の画像を確認することができる。さらに確認を行いやすいように、アンカー５５５が位置する撮影画像は、拡大されて表示されるようにしても良い。例えば、図３３に示すように、アンカー５５５が、撮影画像５５１−１に位置しているときには、その撮影画像５５１−１が拡大された拡大画像５６１が、画面中央に表示され、他の画像に重畳された状態で表示される。
【０２３７】
このように拡大画像５６１を利用者に提示することで、利用者は、変更された目のサイズや明るさなどを確認しやすくなる。ここでは、このような拡大画像５６１が表示されるとして説明を続ける。
【０２３８】
なお、拡大画像５６１は、中央に表示が限定されるのではなく、選択された撮影画像５５１（アンカー５５５が位置している撮影画像５５１）の下側などの近傍に表示されるようにしても良い。またその際、重畳されて表示されても良いし、重畳している部分が無い状態で表示されても良い。さらに、拡大画像５６１が表示される専用の領域を選択画面内に設け、その領域に、拡大画像５６１が表示されるようにしても良い。
【０２３９】
図３１のフローチャートの説明に戻り、ステップＳ２０１において、図３２に示したような撮影画像に写る利用者の目のサイズと明るさの選択に用いられる選択画面が、タッチパネルモニタ９３に表示される。なお、デフォルトの画面として、図３２に示した選択画面が表示され、利用者が、撮影画像５５１−１乃至５５１−６のなかから、いずれかの撮影画像５５１を選択すると、図３３に示したように拡大画像５６１が表示されるようにしても良い。この場合、ステップＳ２０１においては、図３２に示したような選択画面が表示される。
【０２４０】
または、図３３に示したような選択画面が、デフォルトの画面として表示されるようにしても良い。この場合、ステップＳ２０１においては、図３３に示したような選択画面が表示される。デフォルトの選択画面において拡大画像５３１は、左端に位置する撮影画像５５１−１、中央に位置する撮影画像５５１−３、または右端に位置する撮影画像５５１−６が拡大された画像とされる。
【０２４１】
ステップＳ２０２において、変更対象の画像が選択されたか否かが判定される。変更対象の画像が選択されたと判定された場合、処理はステップＳ２０３に進められる。ステップＳ２０３において、選択された撮影画像５５１の拡大画像５６１が選択画面上に表示される。
【０２４２】
なおここでは、１枚ずつ選択され、１枚ずつ処理が施される例を示して説明を続けるが、複数枚選択できるようにし、選択された複数枚の画像に対して目のサイズの変更や明るさの変更が施されるようにしても良い。
【０２４３】
ステップＳ２０４において、目サイズの選択ボタンが操作されたか否かが判定される。このステップＳ２０４乃至Ｓ２１１までの処理は、図２９に示したフローチャートのステップＳ１５２乃至Ｓ１５９と同様に行われるので、その詳細な説明は省略する。ただし、以下の点が異なるため、異なる部分について説明を加える。
【０２４４】
ステップＳ２０５において、撮影画像の目のサイズを変更するが、この場合、拡大画像５６１とその拡大画像５６１として表示されている撮影画像５１１の被写体の目のサイズのみが変更される。図２９を参照して説明した変更においては、一括して６枚の撮影画像の目のサイズが変更されるとして説明したが、図３２または図３３を参照して説明した変更においては、変更対象とされている１枚の撮影画像の目のサイズが変更される。
【０２４５】
同様に、ステップＳ２０８において、撮影画像の明るさを変更するが、拡大画像５６１とその拡大画像５６１として表示されている撮影画像５１１の明るさのみが変更され、変更対象とされていない他の撮影画像は、変更されない。
【０２４６】
このように、第２の変更処理においては、１枚ずつ目のサイズや明るさが変更できるように処理される。利用者は、１枚ずつ好みの目のサイズや明るさに撮影画像を変更でき、満足する画像を得ることができるようになる。
【０２４７】
［目のサイズや明るさの変更に関する変更処理３について］
次に、目のサイズや明るさを決定するときの他の処理（ここでは、第３の変更処理と記述する）について説明する。第３の変更処理は、第２の変更処理と同じく、目のサイズと明るさを、撮影画像毎に変更できるようにしたときの処理であるが、利用者に提示される選択画面が異なる。また選択画面が異なるために、異なる処理を含むため、その処理について、図３４のフローチャートを参照して説明する。
【０２４８】
図３４は、第３の変更処理について説明するためのフローチャートである。ステップＳ３０１において、撮影パラメータ設定部３１２は、撮影画像に写る利用者の目のサイズと明るさの選択に用いられる目サイズ、明るさ選択画面を、タッチパネルモニタ９３に表示させる。図３５に、ステップＳ３０１で表示される選択画面の一例を示す。
【０２４９】
図３５に示した選択画面の図中左側には、変更対象となる撮影画像が表示される対象画像表示部６０１が設けられている。この対象画像表示部６０１の下側には、前の撮影画像を表示させるときに操作される前ボタン６０２と、次の撮影画像を表示させるときに操作される次ボタン６０３が設けられている。
【０２５０】
この前ボタン６０２、または次ボタン６０３が操作されると、対象画像表示部６０１内の撮影画像が他の撮影画像に切り替えられる。利用者は、前ボタン６０２、または次ボタン６０３を操作することで、目の大きさや明るさを変更したい画像を選択することができる。
【０２５１】
対象画像表示部６０１の右側には、設定部６０４が表示されている。この設定部６０４は、Ｘ軸とＹ軸の２軸からなる設定部であり、目のサイズと明るさを設定できるように構成されている。横軸（Ｘ軸）方向は、明るさを設定する軸とされ、図中左側（Ｘ軸のマイナス方向）が明るさを暗くするときに操作される側とされ、図中右側（Ｘ軸のプラス方向）が明るさを明るくするときに操作される側とされている。
【０２５２】
縦軸（Ｙ軸）方向は、目のサイズを設定する軸とされ、図中上側（Ｙ軸のプラス方向）が目の大きさを大きくするときに操作される側とされ、図中下側（Ｙ軸のマイナス方向）が目の大きさを小さくするときに操作される側とされている。
【０２５３】
設定部６０４の形状は、四角形とされ、その四角形内に利用者はタッチすることで、そのタッチした座標に応じた目のサイズと明るさに対象画像表示部６０１内の画像を変更することができるように構成されている。四角形状の設定部６０４内の座標（領域）には、目のサイズと明るさが対応付けられている。そして利用者が設定部６０４内をタッチした場合、タッチされた座標（領域）が判定され、その判定された座標（領域）に対応付けられている目のサイズと明るさの値が読み出され、その値に対応する目のサイズと明るさに、対象画像表示部６０１内の画像が変更され、利用者に提示される。
【０２５４】
このような設定部６０４を利用者に提示することで、利用者は、設定部６０４内をタッチするだけで、目の大きさと明るさを設定することができる。
【０２５５】
図３４のフローチャートの説明に戻り、ステップＳ３０１において、図３５に示したような画面がタッチパネルモニタ９３に表示されると、ステップＳ３０２において、他の画像への移動が指示されたか否かが判定される。ステップＳ３０２における判定は、前ボタン６０２または次ボタン６０３のどちらかが操作されたか否かの判定である。
【０２５６】
ステップＳ３０２において、他の画像への移動が指示されたと判定された場合、ステップＳ３０３に処理が進められ、その移動が指示された画像に、対象画像表示部６０１の表示が切り替えられる。一方、ステップＳ３０２において、他の画像への移動は指示されていないと判定された場合、ステップＳ３０４に処理が進められる。
【０２５７】
ステップＳ３０４において、設定部６０４内の一点が指示されたか（タッチされたか）否かが判定される。ステップＳ３０４において、設定部６０４内が操作されたと判定された場合、ステップＳ３０５に処理が進められる。ステップＳ３０５において、指示された点（座標）に対応する目のサイズ、明るさに、対象画像表示部６０１内の撮影画像が変更される。そして、その変更結果が、ステップＳ３０６において、利用者に提示される。
【０２５８】
一方、ステップＳ３０４において、設定部６０４内は操作されていないと判定された場合、ステップＳ３０７に処理が進められ、決定ボタン６０５が操作されたか否かが判定される。ステップＳ３０７において、決定ボタン６０５は操作されていないと判定された場合、ステップＳ３０２に処理が戻され、それ以降の処理が繰り返される。よって、利用者は、撮影画像毎に、目のサイズや明るさの変更を施すことが可能となる。
【０２５９】
一方、ステップＳ３０７において、決定ボタン６０５が操作されたと判定された場合、ステップＳ３０８に処理が進められ、指示された変更が決定され、変更処理３は終了される。
【０２６０】
［目のサイズや明るさの変更に関する変更処理４について］
次に、目のサイズや明るさを決定するときの他の処理（ここでは、第４の変更処理と記述する）について説明する。第１乃至第３の変更処理においては、利用者が目のサイズと明るさを設定する例を挙げて説明した。また、第３の変更処理においては、設定部６０４内をタッチするだけで、目のサイズと明るさを設定できる例を示した。すなわち第３の変更処理においては、１回の操作で、目のサイズと明るさを設定できる場合を例に挙げて説明した。
【０２６１】
第４の変更処理においても、１回の操作で目のサイズと明るさを設定できるが、利用者が所望すれば、さらに詳細な目のサイズと明るさの設定を行える場合について説明する。図３６は、第４の変更処理について説明するためのフローチャートである。ステップＳ４０１において、撮影パラメータ設定部３１２は、撮影画像に写る利用者の目のサイズと明るさの選択に用いられる目サイズ、明るさ選択画面を、タッチパネルモニタ９３に表示させる。
【０２６２】
図３７は、利用者自身が写されている撮影画像を使用して、被写体の目のサイズと明るさを一画面で選択することができる選択画面の例を示す図である。図３７に示した選択画面のうち、上側の画面の構成は、図３０に示した選択画面と基本的な構成は同様である。すなわち、図３７に示した選択画面においても、撮影の結果得られた、例えば６枚の撮影画像６５１−１乃至６５１−６が、画面の上側に表示される。撮影画像６５１−１乃至６５１−６は、撮影されたままの画像であるが、目のサイズなどの変更が指示された後は、その指示に基づく変更が施された画像とされる。
【０２６３】
選択画面の下側には、３つの目サイズ選択ボタン６５２−１乃至６５２−３が図中右側から順に表示される。これらの目サイズ選択ボタン６５２−１乃至６５２−３の下側には明るさを選択するための明るさ選択ボタン６５３−１乃至６５３−５が表示されている。
【０２６４】
図３７に示した選択画面には、さらにアンカー６５５とアンカー６５６が表示されている。アンカー６５５は、目サイズ選択ボタン６５２−１乃至６５２−３のいずれかに位置する。アンカー６５６は、明るさ選択ボタン６５３−１乃至６５３−５のいずれかに位置する。これらのアンカー６５５とアンカー６５６は、選択画面の下側に設けられたパターン表示部に表示されているパターンのうち、選択されたパターンに対応する位置に表示される。
【０２６５】
パターン表示部には、図３７に示した例では、パターン１乃至４の４つのパターンが表示されている。これらのパターンは、目のサイズと明るさがそれぞれ異なるパターンである。そのことを利用者が理解しやすいように、目のサイズと明るさがそれぞれ異なるモデルの画像が、パターン選択ボタン６５７−１乃至６５７−４として表示されている。
【０２６６】
なお、モデルの画像ではなく、撮影画像６６１−１乃至６６１−６のいずれか１枚の撮影画像が、サンプル画像とされ、それぞれのパターンに合う変更が施された状態で表示されるようにしても良い。
【０２６７】
各パターン選択ボタン６５７には、目サイズ選択ボタン６５２−１乃至６５２−３と明るさ選択ボタン６５３−１乃至６５３−５の組み合わせが対応付けられている。換言すれば、各パターン選択ボタン６５７には、目サイズ選択ボタン６５２−１乃至６５２−３に割り当てられているパラメータのうちの１つと、明るさ選択ボタン６５３−１乃至６５３−５に割り当てられているパラメータのうちの１つの組み合わせが対応付けられている。パターン選択ボタン６５７-１乃至６５７−４のうち、選択されているパターン上には、アンカー６５８が表示される。図３７に示した例では、パターン２のパターン選択ボタン６５７−２上にアンカー６５８が表示されている。
【０２６８】
このパターン選択ボタン６５７−２には、目サイズ選択ボタン６５２−２が対応付けられているため、目サイズ選択ボタン６５２−２上にアンカー６５５が表示されている。またパターン選択ボタン６５７−２には、明るさ選択ボタン６５３−２に対応付けられているため、明るさ選択ボタン６５３−２上にアンカー６５６が表示されている。
【０２６９】
このような場合、撮影画像６５１−１乃至６５１−６は、それぞれ、目サイズ選択ボタン６５２−２に割り当てられている目のサイズ（おすすめの目のサイズ）に変更され、明るさ選択ボタン６５３−２に割り当てられている明るさ（おすすめと美白の間の明るさ）に変更された画像とされる。
【０２７０】
このように、利用者は、パターン選択部に表示されているパターン選択ボタン６５７−１乃至６５７−４のいずれかのボタンを操作することで、そのパターンでの変更を、撮影画像に対して施す指示を出すことができる。
【０２７１】
このような利用者からの指示が出された場合、パターン選択ボタン６５７が操作されると、その操作されたパターン選択ボタン６５７に対応付けられている処理パラメータが読み出される。また、利用者からの指示を受け付ける前の時点で、個別の画像毎に、目、肌、顔などの部位が認識されており、指示出され、パラメータが読み出されたときに、対応する部位に、パラメータに基づく画像処理が施される。
【０２７２】
なお、ここでは、目の大きさと明るさが変更されるとして説明を続けるため、撮影画像毎に、目が認識されていれば良いが、顔のサイズ、肌の色、髪の色、化粧の濃淡なども変更される場合、顔の領域、頬、額、顎といった各部位なども認識されており、利用者の指示に基づき、各部位に対する処理が行われる。
【０２７３】
さらに、利用者は、目サイズ選択ボタン６５２−１乃至６５２−３のいずれかのボタンを操作することでも、目のサイズを変更することができる。すなわち、図３０の選択画面を参照して説明した場合と同じく、直接、目サイズ選択ボタン６５２−１乃至６５２−３のいずれかのボタンが操作された場合も、撮影画像６５１−１乃至６５１−６の各画像の各被写体の目のサイズが変更される。また操作された目サイズ選択ボタン６５２にアンカー６５５が表示される。
【０２７４】
同様に、利用者は、明るさ選択ボタン６５３−１乃至６５３−５のいずれかのボタンを操作することでも、明るさを変更することができる。すなわち、図３０の選択画面を参照して説明した場合と同じく、直接、明るさ選択ボタン６５３−１乃至６５３−５のいずれかのボタンが操作された場合も、撮影画像６５１−１乃至６５１−６の各画像の各被写体の明るさが変更される。また操作された明るさ選択ボタン６５３にアンカー６５６が表示される。
【０２７５】
このような画面が、ステップＳ４０１（図３６）においてタッチパネルモニタ９３に表示されると、ステップＳ４０２において、パターンが選択されたか否かが判定される。ステップＳ４０２において、パターン選択部に表示されているパターン選択ボタン６５７-１乃至６５７−４のうちのいずれかのボタンが操作されたか否かが判定される。ステップＳ４０２において、パターンが選択されたと判定された場合、ステップＳ４０３に処理が進められる。
【０２７６】
ステップＳ４０３において、選択されたパターンに合う目のサイズ、明るさに、全画像が一括変更される。すなわち、上記したように、選択されたパターン選択ボタン６５７に対応付けられている目サイズ選択ボタン６５２の目のサイズに、撮影画像６５１−１乃至６５１−６が一括して変更される。また、選択されたパターン選択ボタン６５７に対応付けられている明るさ選択ボタン６５３の明るさに、撮影画像６５１−１乃至６５１−６が一括して変更される。
【０２７７】
ステップＳ４０４において、変更後の撮影画像６５１−１乃至６５１−６が表示される。そして、ステップＳ４０５において、アンカーが必要に応じて移動され、表示される。すなわち、選択されたパターン選択ボタン６５７に対応付けられている目サイズ選択ボタン６５２上に、アンカー６５５が移動、表示され、選択されたパターン選択ボタン６５７に対応付けられている明るさ選択ボタン６５３上に、アンカー６５６が移動、表示される。
【０２７８】
このように、パターン選択ボタン６５７が操作された場合には、その操作に対応した処理が実行される。一方、ステップＳ４０２において、パターンは、選択されていないと判定された場合、ステップＳ４０６に処理が進められる。ステップＳ４０６以降の処理は、図２９のステップＳ１５２以降の処理と同様なので、その説明は省略する。
【０２７９】
このように、利用者はパターンを選択するだけで、所望の変更を、複数の撮影画像に対して一括して行うことが可能となる。また、利用者は、パターンによる変更が気に入らないなど場合、詳細な変更を行うことができる。また利用者は、直接、所望の変更を複数の撮影画像に対して一括して行うことも可能となる。よって、利用者の満足度を高めることが可能となる。
【０２８０】
［目のサイズや明るさの変更に関する変更処理５について］
次に、目のサイズや明るさを決定するときの他の処理（ここでは、第５の変更処理と記述する）について説明する。第１乃至第４の変更処理においては、撮影画像内の被写体（利用者）が、複数人であっても、個別に目のサイズや明るさが設定されるのではなく、同じ変更が、複数の被写体に施される例を挙げて説明した。
【０２８１】
第５の変更処理として、複数の被写体が撮影されたときには、それぞれの被写体に対して、異なる変更を施すことが可能としたときを例に挙げて説明する。ここでは、２人の利用者が被写体として撮影された場合を例に挙げて説明する。また、第１乃至第４の変更処理においては、目のサイズと顔の明るさを変更する場合を例に挙げて説明したが、その他の変更も行えるため、第５の変更処理としては、目のサイズと顔の明るさの変更に加え、ヘアカラーと顔の大きさの変更も行える場合を例に挙げて説明する。
【０２８２】
図３８、図３９は、第５の変更処理について説明するためのフローチャートである。ステップＳ５０１において、顔の切り出しが行われる。そして、ステップＳ５０２において、撮影パラメータ設定部３１２は、選択画面を、タッチパネルモニタ９３に表示させる。
【０２８３】
例えば、撮影された撮影画像が６枚あるとき、その６枚の撮影画像のうちの所定の１枚が選択され、その選択された撮影画像から、被写体の顔の部分が切り出される。これは、図４０に示す選択画面を表示させるために行われる。図４０に示した選択画面について説明する。
【０２８４】
選択画面の上部には、被写体画像表示部７０１と被写体画像表示部７０２が設けられている。被写体画像表示部７０１，７０２に表示される画像は、ステップＳ５０１の処理で所定の撮影画像から切り出された被写体の画像である。なお、被写体が切り出される画像自体も利用者が選択できるようにしても良い。例えば、図３７などに示したように、撮影画像６５１−１乃至６５１−６を利用者に提示し、利用者が選択した撮影画像６５１から、被写体が切り出され、被写体画像表示部７０１と被写体画像表示部７０２にそれぞれ表示されるようにしても良い。
【０２８５】
被写体画像表示部７０１の下側には、被写体画像表示部７０１に表示されている被写体の目の大きさや明るさなどを変更するための選択ボタンが表示されている選択ボタン表示部７０３が設けられている。同様に、被写体画像表示部７０２の下側には、被写体画像表示部７０２に表示されている被写体の目の大きさや明るさなどを変更するための選択ボタンが表示されている選択ボタン表示部７０４が設けられている。
【０２８６】
選択ボタン表示部７０３内の選択ボタンと、選択ボタン表示部７０４内の選択ボタンは、同様なので、ここでは、選択ボタン表示部７０３内の選択ボタンについて説明を加える。まず、選択ボタン表示部７０３の上部には、３つの目サイズ選択ボタン７１１−１乃至７１１−３が図中右側から順に表示される。これらの目サイズを変更するための目サイズ選択ボタン７１１−１乃至７１１−３の下側には明るさを選択するための明るさ選択ボタン７１２−１乃至７１２−５が表示されている。
【０２８７】
明るさ選択ボタン７１２−１乃至７１２−５の下側には、ヘアカラーを選択するためのヘアカラー選択ボタン７１３−１乃至７１３−５が表示されている。ヘアカラー選択ボタン７１３−１乃至７１３−５は、図中右側から順に、濃い色のヘアカラーから薄い色のヘアカラーに変更するボタンとされている。
【０２８８】
ヘアカラー選択ボタン７１３−１乃至７１３−５の下側には、顔の大きさを選択するための顔サイズ選択ボタン７１４−１乃至７１４−３が表示されている。顔サイズ選択ボタン７１４−１乃至７１４−３は、図中右側から順に、自然な顔サイズ、小顔、小顔よりもさらに小顔（極小）に変更するボタンとされている。
【０２８９】
“ＯＫ”との表記がされた決定ボタン５１５は、目の大きさなどの変更を確定するときに操作されるボタンである。このような構成の選択ボタン表示部７０３と同様のボタンとボタン配置を有する選択ボタン表示部７０４が、被写体画像表示部７０２に表示されている利用者用にも表示される。
【０２９０】
このような選択画面が、ステップＳ５０２（図３８）において表示されると、ステップＳ５０３に処理が進められる。なお、ステップＳ５０３以降の処理は、選択ボタン表示部７０３内の選択ボタンが操作されたときと、選択ボタン表示部７０４内の選択ボタンが操作されたときとで、それぞれ独立して行われる。ここでは、選択ボタン表示部７０３内の選択ボタンが操作された場合を例に挙げて説明する。
【０２９１】
ステップＳ５０３において、目サイズの選択ボタンが操作されたか否かが判定される。このステップＳ５０３乃至５０８までの処理は、図２９に示したフローチャートのステップＳ１５２乃至Ｓ１５９と同様に行われるので、その詳細な説明は省略する。ただし、以下の点が異なるため、異なる部分について説明を加える。
【０２９２】
ステップＳ５０４において、撮影画像の目のサイズを変更するが、この場合、被写体画像表示部７０１に表示されている被写体と、全ての撮影画像に含まれる該被写体と同一の被写体の目のサイズを変更する。顔認証により、目の大きさなどの顔の特徴を判別し、被写体画像表示部７０１または被写体画像表示部７０２のそれぞれに表示されている被写体を抽出するようにしても良い。
【０２９３】
なお、全ての撮影画像に対する変更は、決定ボタン５１５が操作された時点で行われるようにしても良い。すなわち後述するステップＳ５１６における処理で、全ての撮影画像に対する変更が行われるようにしても良い。
【０２９４】
同様に、ステップＳ５０７において、撮影画像の明るさを変更するが、この場合、被写体画像表示部７０１と、表示はされていないが、この被写体画像表示部７０１に表示されている被写体を含む全ての撮影画像の被写体の明るさが変更される。
【０２９５】
このように目のサイズや明るさが変更されると同様に、ヘアカラーや顔サイズも変更される。まず、ステップＳ５０９（図３９）において、へアカラーの選択ボタンが操作されたか否かが判定される。すなわち、ステップＳ５０９において、利用者が、選択画面のヘアカラー選択ボタン７１３−１乃至７１３−５のいずれかに対する操作（タッチ）を行ったか否かが判定される。ステップＳ５０９において、ヘアカラー選択ボタン７１３−１乃至７１３−５のいずれかに対する操作（タッチ）が行われたと判定された場合、ステップＳ５１０に処理が進められる。
【０２９６】
ステップＳ５１０において、撮影パラメータ設定部３１２は、タッチパネルモニタ９３から供給された情報に基づいて、ヘアカラーの色を選択する。ステップＳ５１０において、利用者により選択されたヘアカラーの色に、被写体画像表示部７０１に表示されている被写体の画像が変更される。表示はされていないが、この被写体画像表示部７０１に表示されている被写体を含む全ての撮影画像の被写体のヘアカラーが変更される。
【０２９７】
ステップＳ５１１において、撮影パラメータ設定部３１２は、ヘアカラーを変更した画像を被写体画像表示部７０１に表示し、ヘアカラーの変更結果を利用者に確認させる。このようなヘアカラーに関する処理が行われるか、またはステップＳ５０９において、ヘアカラー選択ボタン７１３−１乃至７１３−５のいずれも操作されていないと判定された場合、ステップＳ５１２に処理が進められる。
【０２９８】
ステップＳ５１２において、利用者が、選択画面の顔サイズ選択ボタン７１４−１乃至７１４−３のいずれかに対する操作（タッチ）を行ったか否かが判定される。ステップＳ５１２において、顔サイズ選択ボタン７１４−１乃至７１４−３のいずれかに対する操作（タッチ）が行われたと判定された場合、ステップＳ５１３に処理が進められる。
【０２９９】
ステップＳ５１３において、撮影パラメータ設定部３１２は、タッチパネルモニタ９３から供給された情報に基づいて、顔のサイズを選択する。ステップＳ５１３において、撮影パラメータ設定部３１２は、利用者により選択された顔のサイズの被写体になるように、被写体画像表示部７０１に表示されている被写体の画像を変更する。表示はされていないが、この被写体画像表示部７０１に表示されている被写体を含む全ての撮影画像の被写体の顔のサイズが変更される。
【０３００】
ステップＳ５１４において、撮影パラメータ設定部３１２は、顔のサイズを変更した被写体画像表示部７０１に表示し、顔サイズの変更結果を利用者に確認させる。このような顔サイズに関する処理が行われるか、またはステップＳ５１２において、顔サイズ選択ボタン７１４−１乃至７１４−３のいずれも操作されていないと判定された場合、ステップＳ５１５に処理が進められる。
【０３０１】
ステップＳ５１５において、撮影パラメータ設定部３１２は、決定ボタン７１５が操作されたか否かをタッチパネルモニタ９３から供給された情報に基づいて判定し、操作されていないと判定した場合、ステップＳ５０３（図３８）に戻り、上述の処理を繰り返す。
【０３０２】
一方、ステップＳ５１５において、決定ボタン７１５が操作されたと判定された場合、ステップＳ５１６において、撮影パラメータ設定部３１２は、被写体の目のサイズ、明るさ、ヘアカラー、顔のサイズを決定し、決定した各種の変更に関わる情報を記憶部２０２などに記憶させて保存する。
【０３０３】
ステップＳ５１６の処理が終了すると、撮影処理は終了され、処理は図１７のステップＳ２に戻る。なお、目サイズ選択処理および明るさ選択処理は、撮影処理においてではなく、編集空間において行われる編集処理において実行されるようにしてもよい。
【０３０４】
なお、第１乃至第４の変更処理においても、ヘアカラーや顔サイズを変更するヘアカラー選択ボタン７１３や顔サイズ選択ボタン７１４と同様のボタン、または同様の機能を有する設定部を設けることで、第５の変更処理と同じく、ヘアカラーや顔サイズを変更することが可能である。
【０３０５】
［目のサイズや明るさの変更に関する変更処理６について］
次に、目のサイズや明るさを決定するときの他の処理（ここでは、第６の変更処理と記述する）について説明する。第６の変更処理は、第５の変更処理と同じく、目のサイズ、明るさ、ヘアカラー、顔のサイズを変更できる場合であり、第３の変更処理と同じく、個々の画像に対して変更を行える場合を例に挙げて説明する。
【０３０６】
図４１は、第６の変更処理について説明するためのフローチャートである。ステップＳ６０１において、撮影パラメータ設定部３１２は、撮影画像に写る利用者の目のサイズや明るさなどの選択に用いられるレーダーチャートを含む選択画面を、タッチパネルモニタ９３に表示させる。図４２に、ステップＳ６０１で表示される選択画面の一例を示す。
【０３０７】
図４２に示した選択画面の図中左側には、変更対象となる撮影画像が表示される対象画像表示部８０１が設けられている。この対象画像表示部８０１の下側には、前の撮影画像を表示させるときに操作される前ボタン８０２と、次の撮影画像を表示させるときに操作される次ボタン８０３が設けられている。
【０３０８】
この前ボタン８０２、または次ボタン８０３が操作されると、対象画像表示部８０１内の撮影画像が他の撮影画像に切り替えられる。利用者は、前ボタン８０２、または次ボタン８０３を操作することで、目の大きさや明るさなどを変更したい画像を選択することができる。このような構成のため、利用者は、１枚ずつ撮影画像に対して変更を加えることができる。
【０３０９】
対象画像表示部８０１の右側には、設定部８０４が表示されている。この設定部８０４の形状は、六角形とされ、その六角形内に利用者はタッチすることで、そのタッチした座標に応じた目のサイズ、明るさ、小顔、髪の色、化粧の濃淡、肌の色を対象画像表示部８０１内の画像を変更することができるように構成されている。
【０３１０】
六角形状の設定部８０４の中心と各頂点を結ぶ６本の線は、目のサイズ、明るさ、小顔、髪の色、化粧の濃淡、肌の色の６項目にそれぞれ割り当てられている。例えば、中心から、上方向の線は、目のサイズに割り当てられており、上側方向が、大きな目のサイズに割り当てられ、中心方向が小さな目（通常の大きさ目）のサイズに割り当てられている。この軸上の各点には、目のサイズが割り当てられており、利用者がタッチした点に応じた目のサイズに、撮影画像内の被写体の目の大きさが変更されるように構成されている。
【０３１１】
同様に、中心から斜め右上方向の線は、明るさに割り当てられており、斜め右上側方向が、明るい明るさに割り当てられ、中心方向が暗い明るさに割り当てられている。この軸上の各点には、明るさが割り当てられており、利用者がタッチした点に応じた明るさに、撮影画像内の被写体の明るさが変更されるように構成されている。
【０３１２】
同様に、中心から斜め右下方向の線は、小顔に割り当てられており、斜め右下側方向が、小さい顔のサイズに割り当てられ、中心方向が大きい顔（通常の顔）のサイズに割り当てられている。この軸上の各点には、顔のサイズが割り当てられており、利用者がタッチした点に応じた顔のサイズに、撮影画像内の被写体の顔の大きさが変更されるように構成されている。
【０３１３】
同様に、中心から下側方向の線は、髪の色に割り当てられており、下側方向が、明るい髪の色に割り当てられ、中心方向が暗い髪の色に割り当てられている。この軸上の各点には、髪の色が割り当てられており、利用者がタッチした点に応じた髪の色に、撮影画像内の被写体の髪の色が変更されるように構成されている。
【０３１４】
同様に、中心から斜め左下方向の線は、化粧の濃淡に割り当てられており、斜め左下側方向が、薄い化粧の色合いに割り当てられ、中心方向が濃い化粧の色合いに割り当てられている。この軸上の各点には、化粧の濃淡が割り当てられており、利用者がタッチした点に応じた化粧の濃淡に、撮影画像内の被写体の化粧の濃淡が変更されるように構成されている。
【０３１５】
同様に、中心から斜め左上方向の線は、肌の明るさに割り当てられており、斜め左上側方向が、明るい肌の明るさに割り当てられ、中心方向が暗い肌の明るさに割り当てられている。この軸上の各点には、肌の明るさが割り当てられており、利用者がタッチした点に応じた肌の明るさに、撮影画像内の被写体の肌の明るさが変更されるように構成されている。
【０３１６】
なおここでは、線上の点がタッチされると、そのタッチされた位置に関連付けられている値に応じて、例えば目のサイズが変更されるとして説明をしたが、線上に限らず、線と線との間の領域がタッチされた場合にも、そのタッチされた位置に関連付けられている値に応じて、例えば目のサイズと明るさが変更されるようにすることも可能である。
【０３１７】
例えば、設定部８０４内の座標（領域）には、各項目の値が対応付けられており、利用者が設定部８０４内をタッチした場合、タッチされた座標（領域）が判定され、その判定された座標（領域）に対応付けられている値が読み出され、その値に対応する各項目の変更が、対象画像表示部８０１内の画像に施され、利用者に提示される。
【０３１８】
このような設定部８０４を利用者に提示することで、利用者は、設定部８０４内をタッチするだけで、各種の変更を指示することができる。
【０３１９】
図４１のフローチャートの説明に戻り、ステップＳ６０１において、図４２に示したような画面がタッチパネルモニタ９３に表示されると、ステップＳ６０２において、他の画像への移動が指示されたか否かが判定される。ステップＳ６０２における判定は、前ボタン８０２または次ボタン８０３のどちらかが操作されたか否かの判定である。
【０３２０】
ステップＳ６０２において、他の画像への移動が指示されたと判定された場合、ステップＳ６０３に処理が進められ、その移動が指示された画像に、対象画像表示部８０１の表示が切り替えられる。一方、ステップＳ６０２において、他の画像への移動は指示されていないと判定された場合、ステップＳ６０４に処理が進められる。
【０３２１】
ステップＳ６０４において、設定部８０４内の一点が指示されたか（タッチされたか）否かが判定される。ステップＳ６０４において、設定部８０４内が操作されたと判定された場合、ステップＳ６０５に処理が進められる。ステップＳ６０５において、指示された点（座標）に対応する目のサイズ、明るさ、顔のサイズ、髪の色、化粧の色、肌の色のいずれか１つまたは複数の変更が、対象画像表示部８０１内の撮影画像に施される。そして、その変更結果が、ステップＳ６０６において、利用者に提示される。
【０３２２】
一方、ステップＳ６０４において、設定部８０４内は操作されていないと判定された場合、ステップＳ６０７に処理が進められ、決定ボタン６０５が操作されたか否かが判定される。ステップＳ６０７において、決定ボタン６０５は操作されていないと判定された場合、ステップＳ６０２に処理が戻され、それ以降の処理が繰り返される。よって、利用者は、撮影画像毎に、目のサイズなどの変更を施すことが可能となる。
【０３２３】
なおここでは、１点指示としたが、各項目の任意の点が指示されるようにし、指示された点に応じた画像処理が行われるようにしても良い。
【０３２４】
一方、ステップＳ６０７において、決定ボタン６０５が操作されたと判定された場合、ステップＳ６０８に処理が進められ、指示された変更が決定され、変更処理６は終了される。
【０３２５】
このように、本実施の形態によれば、撮影画像に対する目のサイズ、明るさといった各種の変更を１画面で行うことが可能となる。また、複数の撮影画像を一括して変更することも可能であるし、１枚ずつ利用者の要望を反映して変更することも可能である。このように、簡便な操作で画像に変更を行えるようにすることで、利用者の満足度を向上させることが可能となる。
【０３２６】
なお、上述した実施の形態において、ゲーム毎またはユーザ毎に、目のサイズ、肌の色、髪の色といった画像処理の種類がカスタマイズできるように構成しても良い。ゲーム毎の場合、複数人で撮影が行われた時には、その複数人の利用者（被写体）の全員に対して画像処理が施される。例えば、図３０に示した画面が利用者に提示され、目の大きさの変更が指示された場合には、撮影画像５０１-１乃至５０１−６のそれぞれに写っている被写体の目の大きさが変更される。
【０３２７】
ユーザ毎の場合、複数人で撮影された場合であっても、ユーザ毎に顔認識などが利用され、利用者（被写体）毎に処理が施される。例えば、図４０に示した画面が利用者に提示され、目の大きさなどの変更が利用者毎に行われるようにしても良い。
【０３２８】
このように、撮影人数に応じて、提示される画面を変更しても良い。また、画像処理の種類が、撮影人数が少ないときには、多くの種類が提示され、撮影人数が多いときには、少ない種類が提示されるといったように、撮影人数に応じて画像処理の種類がカスタマイズされるようにしても良い。
【０３２９】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０３３０】
この記録媒体は、例えば、図１４に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０３３１】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３３２】
また、本明細書において、システムとは、複数の装置により構成される装置全体を表すものである。
【０３３３】
なお、本技術の実施の形態は、上述した実施の形態に限定されるものではなく、本技術の要旨を逸脱しない範囲において種々の変更が可能である。
【符号の説明】
【０３３４】
１  写真シール作成装置，  １１  撮影ユニット，  １２  編集部，  １３  事後接客部，  ２０１  制御部，  ２０８  撮影部，  ２０９  編集部，  ２１０  事後接客部，  ３０１  撮影処理部，  ３０２  編集処理部，  ３０３  印刷処理部，  ３０４  事後接客処理部
【図１】
2014068354.tif 000003
【図２】
2014068354.tif 000004
【図３】
2014068354.tif 000005
【図４】
2014068354.tif 000006
【図５】
2014068354.tif 000007
【図６】
2014068354.tif 000008
【図７】
2014068354.tif 000009
【図８】
2014068354.tif 000010
【図９】
2014068354.tif 000011
【図１０】
2014068354.tif 000012
【図１１】
2014068354.tif 000013
【図１２】
2014068354.tif 000014
【図１３】
2014068354.tif 000015
【図１４】
2014068354.tif 000016
【図１５】
2014068354.tif 000017
【図１６】
2014068354.tif 000018
【図１７】
2014068354.tif 000019
【図１８】
2014068354.tif 000020
【図１９】
2014068354.tif 000021
【図２０】
2014068354.tif 000022
【図２１】
2014068354.tif 000023
【図２２】
2014068354.tif 000024
【図２３】
2014068354.tif 000025
【図２４】
2014068354.tif 000026
【図２５】
2014068354.tif 000027
【図２６】
2014068354.tif 000028
【図２７】
2014068354.tif 000029
【図２８】
2014068354.tif 000030
【図２９】
2014068354.tif 000031
【図３０】
2014068354.tif 000032
【図３１】
2014068354.tif 000033
【図３２】
2014068354.tif 000034
【図３３】
2014068354.tif 000035
【図３４】
2014068354.tif 000036
【図３５】
2014068354.tif 000037
【図３６】
2014068354.tif 000038
【図３７】
2014068354.tif 000039
【図３８】
2014068354.tif 000040
【図３９】
2014068354.tif 000041
【図４０】
2014068354.tif 000042
【図４１】
2014068354.tif 000043
【図４２】
2014068354.tif 000044